(57)【特許請求の範囲】
【請求項１】
現在フレームの送信機会（ＴＸＯＰ）省電力指示が省電力許可指示であるとき局（ＳＴＡ）装置がドーズ条件の判定結果に従ってドーズ状態に入るか否かを決定するように、アクセスポイント（ＡＰ）装置によって現在のＴＸＯＰの複数のフレームをＳＴＡ装置に送信することを含み、各フレームは該フレームのＴＸＯＰ省電力指示を含み、
同じＴＸＯＰにおいて、前記複数のフレームのＴＸＯＰ省電力指示の値は、一度変更することのみが許可され、
前記フレームの前記ＴＸＯＰ省電力指示は、前記フレームの超高スループット信号Ａ１（ＶＨＴ−ＳＩＧ−Ａ１）フィールドにおけるＢ２２ビットである、省電力方法。
【請求項２】
同じＴＸＯＰにおいて、前記複数のフレームのＴＸＯＰ省電力指示の値が一度変更することのみが許可されることは、
前記同じＴＸＯＰにおいて、前記複数のフレームの前記ＴＸＯＰ省電力指示の前記値が省電力禁止指示から省電力許可指示に変更することのみが許可されることを備える、請求項１に記載の方法。
【請求項３】
同じＴＸＯＰにおいて、前記複数のフレームのＴＸＯＰ省電力指示の値が一度変更することのみが許可されることは、
前記同じＴＸＯＰにおいて、現在フレームの前のフレームのＴＸＯＰ省電力指示が省電力禁止指示である場合、現在フレームの前記ＴＸＯＰ省電力指示が省電力許可指示に設定することが許可され、または、現在フレームの前のフレームのＴＸＯＰ省電力指示が省電力許可指示である場合、現在フレームの前記ＴＸＯＰ省電力指示が省電力禁止指示に設定することは許可されないことを含む、請求項１に記載の方法。
【請求項４】
前記ＴＸＯＰ省電力指示は、ＴＸＯＰ省電力無し指示である、請求項１に記載の方法。
【請求項５】
局（ＳＴＡ）装置によって、現在の送信機会（ＴＸＯＰ）の複数のフレームをアクセスポイント（ＡＰ）装置から受信することと、
現在フレームのＴＸＯＰ省電力指示が省電力許可指示であるとき、ＳＴＡ装置によって、ドーズ条件の判定結果に従ってドーズ状態に入るか否かを決定することとを含み、各フレームは該フレームのＴＸＯＰ省電力指示を含み、
前記同じＴＸＯＰにおいて、前記複数のフレームのＴＸＯＰ省電力指示の値は、一度変更することのみが許可され、
前記フレームの前記ＴＸＯＰ省電力指示は、各フレームの超高スループット信号Ａ１（ＶＨＴ−ＳＩＧ−Ａ１）フィールドにおけるＢ２２ビットである、省電力方法。
【請求項６】
同じＴＸＯＰにおいて、前記複数のフレームのＴＸＯＰ省電力指示の値を一度変更することのみを許可することは、
前記同じＴＸＯＰにおいて、前記複数のフレームの前記ＴＸＯＰ省電力指示の前記値が省電力禁止指示から省電力許可指示に変更することのみが許可されることを備える、請求項５に記載の方法。
【請求項７】
前記同じＴＸＯＰにおいて、前記フレームの前記ＴＸＯＰ省電力指示の値を一度変更することのみを許可することは、
前記同じＴＸＯＰにおいて、現在フレームの前のフレームのＴＸＯＰ省電力指示が省電力禁止指示である場合、現在フレームの前記ＴＸＯＰ省電力指示が省電力許可指示に設定することが許可され、または、現在フレームの前のフレームのＴＸＯＰ省電力指示が省電力許可指示である場合、現在フレームの前記ＴＸＯＰ省電力指示が省電力禁止指示に設定することは許可されないことを含む、請求項５に記載の方法。
【請求項８】
前記ＴＸＯＰ省電力指示は、ＴＸＯＰ省電力無し指示である、請求項５に記載の方法。
【請求項９】
各フレームの送信機会（ＴＸＯＰ）省電力指示を設定するよう構成された設定モジュールであって、同じＴＸＯＰにおいて、複数のフレームのＴＸＯＰ省電力指示の値は一度変更することのみが許可される、設定モジュールと、
現在フレームのＴＸＯＰ省電力指示が省電力許可指示であるとき、局（ＳＴＡ）装置がドーズ条件の判定結果に従ってドーズ状態に入るか否かを決定するように、現在のＴＸＯＰの前記複数のフレームを前記ＳＴＡ装置に送信するよう構成された送信モジュールを備え、各フレームは該フレームのＴＸＯＰ省電力指示を含み、
前記フレームの前記ＴＸＯＰ省電力指示は、各フレームの超高スループット信号Ａ１（ＶＨＴ−ＳＩＧ−Ａ１）フィールドにおけるＢ２２ビットである、アクセスポイント（ＡＰ）装置。
【請求項１０】
前記設定モジュールは、各フレームの前記ＴＸＯＰ省電力指示を設定するよう構成され、特に、前記同じＴＸＯＰにおいて、前記複数のフレームの前記ＴＸＯＰ省電力指示の前記値が省電力禁止指示から省電力許可指示に変更することのみが許可される、請求項９に記載のＡＰ装置。
【請求項１１】
前記設定モジュールは、各フレームの前記ＴＸＯＰ省電力指示を設定するよう構成され、特に、前記同じＴＸＯＰにおいて、現在フレームの前のフレームのＴＸＯＰ省電力指示が省電力禁止指示である場合、現在フレームの前記ＴＸＯＰ省電力指示が省電力許可指示に設定することが許可され、または、現在フレームの前のフレームのＴＸＯＰ省電力指示が省電力許可指示である場合、現在フレームの前記ＴＸＯＰ省電力指示が省電力禁止指示に設定することは許可されない、請求項９に記載のＡＰ装置。
【請求項１２】
前記ＴＸＯＰ省電力指示は、ＴＸＯＰ省電力無し指示である、請求項９に記載のＡＰ装置。
【請求項１３】
アクセスポイント（ＡＰ）装置から現在の送信機会（ＴＸＯＰ）の複数のフレームを取得するよう構成された取得モジュールであって、各フレームは該フレームのＴＸＯＰ省電力指示を含み、同じＴＸＯＰにおいて、前記複数のフレームのＴＸＯＰ省電力指示の値が一度変更することのみが許可される、取得モジュールと、
現在フレームのＴＸＯＰ省電力指示が省電力許可指示であるとき、ドーズ条件の判定結果に従ってドーズ状態に入るか否かを決定するよう構成される制御モジュールとを備え、
前記フレームの前記ＴＸＯＰ省電力指示は、各フレームの超高スループット信号Ａ１（ＶＨＴ−ＳＩＧ−Ａ１）フィールドにおけるＢ２２ビットである、局（ＳＴＡ）装置。
【請求項１４】
前記取得モジュールは、前記ＡＰ装置から現在のＴＸＯＰの前記複数のフレームを取得するよう構成され、特に、前記同じＴＸＯＰにおいて、前記フレームの前記ＴＸＯＰ省電力指示の前記値が省電力禁止指示から省電力許可指示に変更することのみが許可される、請求項１３に記載の装置。
【請求項１５】
前記取得モジュールは、前記ＡＰ装置から現在のＴＸＯＰの前記複数のフレームを取得するよう構成され、特に、前記同じＴＸＯＰにおいて、現在フレームの前のフレームのＴＸＯＰ省電力指示が省電力禁止指示である場合、現在フレームの前記ＴＸＯＰ省電力指示が省電力許可指示に設定することが許可され、または、現在フレームの前のフレームのＴＸＯＰ省電力指示が省電力許可指示である場合、現在フレームの前記ＴＸＯＰ省電力指示が省電力禁止指示に設定することは許可されない、請求項１３に記載の装置。
【請求項１６】
前記ＴＸＯＰ省電力指示は、ＴＸＯＰ省電力無し指示である、請求項１３に記載の装置。
【発明の詳細な説明】
【技術分野】
【０００１】
本発明は、ワイヤレス通信技術に係わり、特に、省電力方法、アクセスポイント（Ａｃｃｅｓｓ  Ｐｏｉｎｔ、略称ＡＰ）装置、及び局（Ｓｔａｔｉｏｎ、略称：ＳＴＡ）装置に関する。
本出願は、２０１１年２月１日付けで中国特許庁に出願された中国特許出願第２０１１１００３４３５５．９号、２０１１年２月２５日付けで中国特許庁に出願された中国特許出願第２０１１１００４６７１６．１号、２０１１年３月１６日付けで中国特許庁に出願された中国特許出願第２０１１１００６３５１１．４号、２０１１年５月１２日付けで中国特許庁に出願された中国特許出願第２０１１１０１２２７１９．９号、及び２０１１年６月１６日付けで中国特許庁に出願された中国特許出願第２０１１１０１６２５５０．Ｘ号の優先権を主張し、これらの中国特許出願の内容全体が参照によってここに組み込まれる。
【背景技術】
【０００２】
多入力多出力（Ｍｕｌｔｉｐｌｅ−Ｉｎｐｕｔ  Ｍｕｌｔｉｐｌｅ−Ｏｕｔｐｕｔ、略称：ＭＩＭＯ）ワイヤレス通信システムに対し、送信機会（Ｔｒａｎｓｍｉｔ  Ｏｐｐｏｒｔｕｎｉｔｙ、略称：ＴＸＯＰ）では、基本サービスセット（Ｂａｓｉｃ  Ｓｅｒｖｉｃｅ  Ｓｅｔ、略称ＢＳＳ）内の全てのＳＴＡ装置がデータを受信しなくてもよい。従って、ワイヤレス通信システムでは、現在ＴＸＯＰにおいてデータを受信していないＳＴＡ装置がＤｏｚｅ状態に入ることを可能にするために省電力方法が採用される。Ｄｏｚｅ状態にあるＳＴＡ装置は、このＳＴＡ装置自体の受信機を無効（ディセーブル）にするので、消費電力を削減する。
【０００３】
現在のところ、ワイヤレス通信システムの省電力方法は、ＡＰがオペレーション・オブジェクト識別子及びＴＸＯＰ省電力無し指示（Ｎｏ  ＴＸＯＰ  Ｐｏｗｅｒ  Ｓａｖｅ  ｉｎｄｉｃａｔｉｏｎ、略称：Ｎｏ  ＴＸＯＰ  ＰＳ指示）をＳＴＡ装置に送信する。オペレーション・オブジェクト識別子は、オペレーションを実行する必要がある１台以上のＳＴＡ装置を指示するために使用される。ＴＸＯＰ省電力無し指示は、肯定又は否定でもよく、ＴＸＯＰ省電力無し指示が否定である場合、これは、このＢＳＳ内のＳＴＡ装置が現在ＴＸＯＰにおいて省電力オペレーションを実行することを許可されていることを指示し、ＴＸＯＰ省電力無し指示が肯定である場合、これは、このＢＳＳ内のＳＴＡ装置が現在ＴＸＯＰにおいて省電力オペレーションを実行することを禁止されていることを指示する。ＴＸＯＰ省電力無し指示によって指示される有効間隔は、現在ＴＸＯＰであるので、ＳＴＡ装置がＤｏｚｅ状態に入る場合、ＳＴＡ装置はこのＴＸＯＰが終了するまでＤｏｚｅ状態を維持し、このＴＸＯＰが終了したとき、ＳＴＡ装置は、Ａｗａｋｅ状態に回復させられる。現行の通信標準の省電力方法では、同じＴＸＯＰの全てのフレームのＮｏ  ＴＸＯＰ  ＰＳに同じ値が設定され、Ｄｏｚｅ状態に入る機能を有するＳＴＡ装置は、ＴＸＯＰの最初のフレームのＮｏ  ＴＸＯＰ  ＰＳだけに従って判断を行う。具体的には、ＴＸＯＰにおいて、最初のフレームを受信した後、Ｄｏｚｅ状態に入る機能を有するＳＴＡ装置は、最初のフレームのＮｏ  ＴＸＯＰ  ＰＳに従って、省電力がこのＴＸＯＰにおいて実行が許可されているかどうかを判断する。省電力が許可されていない場合、前述のＳＴＡ装置は、ＴＸＯＰ全体においてＡｗａｋｅ状態を維持する。省電力が許可されている場合、前述のＳＴＡ装置は、このＴＸＯＰの最初のフレームから最後のフレームまでの全てのフレームにおけるドーズ条件に従ってＤｏｚｅ状態に入るべきか否かを判断する。
【０００４】
Ｄｏｚｅ状態に入る機能を有するＳＴＡとは、ＳＴＡがＤｏｚｅ状態に入る機能をサポートし、この機能が許可状態にあることを指すことはよく知られている。Ｄｏｚｅ状態に入る機能をサポートするＳＴＡは、ある期間においてこの機能を有効にしてもよく、その他の期間ではこの機能を無効にし、即ち、ＳＴＡは、ある期間にＤｏｚｅ状態に入る機能を有し、その他の期間にＤｏｚｅ状態に入る機能を有しなくてもよい。従来技術における対応するシグナリングは、ＳＴＡが現在のところＤｏｚｅ状態に入る機能を有するか否かについての情報をＳＴＡがＡＰに報告することを可能にする。既存の省電力方法が採用され、ＴＸＯＰの最初のフレームで搬送されたＴＸＯＰ省電力無し指示が否定であるとき、これは、このフレームのオペレーション・オブジェクト識別子に含まれていないＢＳＳ内の全てのＳＴＡ装置がＤｏｚｅ状態に入り得ることを指示し、この場合、一般的にＤｏｚｅ状態に入る機能を有するＢＳＳ内の全てのＳＴＡ装置がドーズ条件に従って判断を実行し、このドーズ条件が満たされる場合、ＳＴＡ装置はＤｏｚｅ状態に入る。従って、マルチユーザＭＩＭＯ（Ｍｕｌｔｉ−Ｕｓｅｒ  ＭＩＭＯ、略称：ＭＵ−ＭＩＭＯ）モードに対し、採用された既存の省電力方法は、ＴＸＯＰの最初のフレーム内のオペレーション・オブジェクト識別子がＴＸＯＰに関係しているＤｏｚｅ状態に入る機能を有する全てのＳＴＡ装置を含む場合だけに適用可能であり、シングルユーザＭＩＭＯ（Ｓｉｇｌｅ−Ｕｓｅｒ  ＭＩＭＯ、略称：ＳＵ−ＭＩＭＯ）モードに対し、この方法は、ＴＸＯＰの各フレームのオペレーション・オブジェクト識別子がＤｏｚｅ状態に入る機能を有する１台以下のＳＴＡ装置だけを指示する場合だけに適用可能であるので、電力は僅かな状況下に限り節約することが可能であり、適用範囲が狭く、従って、省電力効果が望ましくない。
【発明の概要】
【発明が解決しようとする課題】
【０００５】
本発明の実施形態は、従来技術における欠点を解決し、省電力適用範囲を拡大し、省電力効果を高める省電力方法、ＡＰ装置及びＳＴＡ装置を提供する。
【課題を解決するための手段】
【０００６】
本発明の実施形態は、
省電力が現在送信機会ＴＸＯＰにおいて許可されているか否か、及び、新たに追加される局ＳＴＡの識別子が現在ＴＸＯＰの各フレームの後続フレームのオペレーション・オブジェクト識別子に有るか否かに従って、各フレームのＴＸＯＰ省電力指示を設定することと、ここにおいて、局ＳＴＡは、Ｄｏｚｅ状態に入る機能を有するＳＴＡであり、
現在フレームのＴＸＯＰ省電力指示が省電力許可を指示するとき、Ｄｏｚｅ状態に入る機能を有するＳＴＡ装置であるＳＴＡ装置がドーズ条件についての判断結果に従ってＤｏｚｅ状態に入るべきか否かを決定するように、現在ＴＸＯＰの１つ以上のフレームをＳＴＡ装置に送信することと、
を含む省電力方法を提供する。
【０００７】
本発明の実施形態は、
省電力が現在ＴＸＯＰにおいて許可されているか否か、及び、新たに追加される局ＳＴＡの識別子が後続フレームのオペレーション・オブジェクト識別子に有るか否かに従って、ＡＰ装置によって設定されたＴＸＯＰ省電力指示を含む現在ＴＸＯＰの現在フレームを取得することと、ここにおいて、局ＳＴＡは、Ｄｏｚｅ状態に入る機能を有するＳＴＡであり、
現在フレームのＴＸＯＰ省電力指示が省電力許可を指示するとき、Ｄｏｚｅ状態に入る機能を有するＳＴＡ装置であるＳＴＡ装置によって、ドーズ条件に対する判断結果に従ってＤｏｚｅ状態に入るべきか否かを決定することと、
を含む省電力方法を提供する。
【０００８】
本発明の実施形態は、
省電力が現在送信機会ＴＸＯＰにおいて許可されているか否か、及び、新たに追加される局ＳＴＡの識別子が現在ＴＸＯＰの各フレームの後続フレームのオペレーション・オブジェクト識別子に有るか否かに従って、各フレームのＴＸＯＰ省電力指示をそれぞれ設定するように構成されている設定モジュールと、ここにおいて、局ＳＴＡは、Ｄｏｚｅ状態に入る機能を有するＳＴＡであり、
現在フレームのＴＸＯＰ省電力指示が省電力許可を指示するとき、Ｄｏｚｅ状態に入る機能を有するＳＴＡ装置であるＳＴＡ装置がドーズ条件の判断結果に従ってＤｏｚｅ状態に入るべきか否かを決定するように、現在ＴＸＯＰの１つ以上のフレームをＳＴＡ装置に送信するように構成されている送信モジュールと、
を含むＡＰ装置を更に提供する。
【０００９】
本発明の実施形態は、Ｄｏｚｅ状態に入る機能を有するＳＴＡ装置であるＳＴＡ装置であって、
省電力が現在ＴＸＯＰにおいて許可されているか否か、及び、新たに追加される局ＳＴＡの識別子が後続フレームのオペレーション・オブジェクト識別子に有るか否かに従って、アクセスポイントＡＰ装置によって設定されたＴＸＯＰ省電力指示を含んでいる現在送信機会ＴＸＯＰの現在フレームを取得するように構成されている取得モジュールと、ここにおいて、局ＳＴＡは、Ｄｏｚｅ状態に入る機能を有するＳＴＡであり、
現在フレームのＴＸＯＰ省電力指示が省電力許可を指示するとき、ドーズ条件に対する判断結果に従ってＤｏｚｅ状態に入るべきか否かを決定するようＳＴＡ装置を制御するように構成されている制御モジュールと、
を含むＳＴＡ装置を更に提供する。
【００１０】
本発明の実施形態は、
局ＳＴＡ装置によって、現在送信機会ＴＸＯＰの後続端末ＳＴＡ指示及びＴＸＯＰ省電力指示を含む現在フレームと、オペレーション・オブジェクト識別子を含むプリセット・フレームとをそれぞれ取得することと、
現在フレームのＴＸＯＰ省電力指示が許可され、プリセット・フレームのオペレーション・オブジェクト識別子がこのＳＴＡ装置に対する指示を含まず且つ現在フレームの後続ＳＴＡ指示が後で新たに局ＳＴＡの識別子が追加されないというものであるとき、ＳＴＡ装置によって、Ｄｏｚｅ状態に入ることであって、ここで、ＳＴＡは、Ｄｏｚｅ状態に入る機能を有するＳＴＡであり、ＳＴＡ装置は、Ｄｏｚｅ状態に入る機能を有するＳＴＡ装置である、前記Ｄｏｚｅ状態に入ることと、
を含む省電力方法を更に提供する。
【００１１】
本発明の実施形態は、Ｄｏｚｅ状態に入る機能を有するＳＴＡ装置であるＳＴＡ装置であって、
現在送信機会ＴＸＯＰの後続ＳＴＡ指示及びＴＸＯＰ省電力指示を含む現在フレームと、オペレーション・オブジェクト識別子を含むプリセット・フレームとをそれぞれに取得するように構成されている取得モジュールと、
現在フレームのＴＸＯＰ省電力指示が許可され、プリセット・フレームのオペレーション・オブジェクト識別子がこのＳＴＡ装置に対する指示を含まず且つ現在フレームの後続ＳＴＡ指示が後で新たに局ＳＴＡの識別子が追加されないというものであるとき、Ｄｏｚｅ状態に入るようＳＴＡ装置を制御するように構成されている制御モジュールであって、ＳＴＡは、Ｄｏｚｅ状態に入る機能を有するＳＴＡである、前記制御モジュールと、
を含むＳＴＡ装置を更に提供する。
【００１２】
省電力方法は、
現在データフレームを受信するＳＴＡが省電力状態に入ることを許可可能であることを指示するために使用される現在データフレームの省電力指示を設定することと、
現在データフレームを受信するＳＴＡがドーズ条件に対する判断結果に従ってＤｏｚｅ状態に入るべきか否かを決定し、現在データフレームの前に送信され且つＴＸＯＰに送信される少なくとも１つのデータフレームに含まれる省電力指示が、ＳＴＡが省電力の実行を禁止されていることを指示するために使用されるように、現在送信機会ＴＸＯＰにおいて現在データフレームを送信することと、
を含み、
ＳＴＡ装置は、Ｄｏｚｅ状態に入る機能を有するＳＴＡ装置である。
【００１３】
Ｄｏｚｅ状態に入る機能を有するアクセスポイント装置は、
現在データフレームを受信するＳＴＡが省電力状態に入ることを許可可能であることを指示するために使用される現在データフレームの省電力指示を設定するように構成されている設定ユニットと、
現在データフレームを受信するＳＴＡがドーズ条件に対する判断結果に従ってＤｏｚｅ状態に入るべきか否かを決定するように、現在送信機会ＴＸＯＰにおいて現在データフレームを送信するように構成されている送信ユニットと、
を含み、
設定ユニットは、現在データフレームの前に送信され且つＴＸＯＰに送信される少なくとも１つのデータフレームに含まれる省電力指示が省電力禁止を指示するために使用されるように、現在フレームを設定する。
【発明の効果】
【００１４】
本発明の実施形態によれば、同じＴＸＯＰにおける異なるフレームのＴＸＯＰ省電力指示は、異なってもよく、局ＳＴＡの識別子が新たに追加されないこと、及び、省電力が現在ＴＸＯＰで許可されていることという２つの条件が両方共に満たされるときに限り、フレーム又はこのフレームの後続フレームのＴＸＯＰ省電力指示が省電力許可を示し、現在フレームのＴＸＯＰ省電力指示が省電力許可を指示するときに限り、ＳＴＡがドーズ条件を判断し、判断結果に従ってＤｏｚｅ状態に入るべきか否かを決定することが、技術的解決手段から理解され得る。代替的に、ＡＰ装置は、後続ＳＴＡ指示をＳＴＡ装置に送信し、ＴＸＯＰ省電力指示が許可され、後続ＳＴＡ指示が後で新たに局ＳＴＡの識別子が追加されないというものであり、プリセット・フレームのオペレーション・オブジェクト識別子がこのＳＴＡ装置の識別子を含んでいないとき、ＳＴＡ装置はＤｏｚｅ状態に入る。従って、この方法は、ＴＸＯＰの最初のフレーム内のオペレーション・オブジェクト識別子がＴＸＯＰに関係する全てのＳＴＡ装置を含むことを必要としないので、省電力方法の適用範囲を拡大し、省電力効果を高める。
【図面の簡単な説明】
【００１５】
【図１】図１は本発明の実施形態１による省電力方法のフローチャートである。
【図２】図２は本発明の実施形態２による省電力方法のフローチャートである。
【図３】図３は本発明の実施形態３による省電力方法のフローチャートである。
【図４】図４は本発明の実施形態４による省電力方法のフローチャートである。
【図５】図５は本発明の実施形態５によるＡＰ装置の略構成図である。
【図６】図６は本発明の実施形態６によるＳＴＡ装置の略構成図である。
【図７】図７は本発明の実施形態７による省電力方法のフローチャートである。
【図８】図８は本発明の実施形態８による省電力方法のフローチャートである。
【図９】図９は本発明の実施形態９による省電力方法のフローチャートである。
【図１０】図１０は本発明の実施形態１０による省電力方法のフローチャートである。
【図１１】図１１は本発明の実施形態１１によるＳＴＡ装置の略構成図である。
【発明を実施するための形態】
【００１６】
Ｎｏ  ＴＸＯＰ  ＰＳ指示が省電力許可を指示するとき、Ｄｏｚｅ状態に入るべきか否かを判断するために使用されるドーズ条件は、３つの条件のうちのいずれか１つ又はいずれかの組み合わせを含んでもよく、条件のうちの１つが満たされるとき、ドーズ条件は満たされると判断され、このような場合、ＳＴＡ装置はＤｏｚｅ状態に入り、ドーズ条件に含まれる１つ以上の条件が全て満たされないとき、ドーズ条件が満たされないと判断され、このような場合、ＳＴＡ装置はＡｗａｋｅ状態を維持する。
【００１７】
Ｎｏ  ＴＸＯＰ  ＰＳ指示が省電力許可を指示するとき、Ｄｏｚｅ状態に入るべきか否かを判断するために使用されるドーズ条件は、３つの条件のうちのいずれか１つ又はいずれかの組み合わせを含んでもよく、条件のうちの１つが満たされるとき、ドーズ条件が満たされると判断され、このような場合、Ｄｏｚｅ状態に入る機能を有するＳＴＡ装置はＤｏｚｅ状態に入り、ドーズ条件に含まれる１つ以上の条件が全て満たされないとき、ドーズ条件が満たされないと判断され、このような場合、Ｄｏｚｅ状態に入る機能を有するＳＴＡ装置は、Ａｗａｋｅ状態を維持し、ＳＴＡ装置がＤｏｚｅ状態に入る能力をサポートしない場合、ＳＴＡ装置はＡｗａｋｅ状態を常に維持し、前述のドーズ条件は判断される必要がないことに更に注意を要する。説明の簡略化のため、「ＳＴＡ装置がＤｏｚｅ状態に入る」という以下の説明中のＳＴＡは、Ｄｏｚｅ状態に入る機能を有するＳＴＡについて言及し、即ち、「ＳＴＡ装置がＤｏｚｅ状態に入る」は、ＳＴＡがＤｏｚｅ状態に入る機能を有するＳＴＡであることを明示的に暗示的に明らかにする。
【００１８】
具体的には、ＭＵ−ＭＩＭＯモードにおいて、３つの条件は、具体的に以下の内容を含む。条件１：プリセット・フレームのオペレーション・オブジェクト識別子がプリセット・フレームを受信したＳＴＡ装置に対する指示を含んでいないとき、ＳＴＡ装置はＤｏｚｅ状態に入る。条件２：プリセット・フレームのオペレーション・オブジェクト識別子がＳＴＡ装置に対する指示を含み、ＳＴＡに対応する空間多重化ストリーム数の指示が０であるとき、ＳＴＡ装置はＤｏｚｅ状態に入る。条件３：プリセット・フレームのオペレーション・オブジェクト識別子がＳＴＡ装置に対する指示を含み、ＳＴＡがデータビット指示が０であるより多くのデータフレームを受信するとき、ＳＴＡ装置はＤｏｚｅ状態に入る。ＳＵ−ＭＩＭＯモードでは、３つの条件は、具体的に以下の内容を含む。条件１：プリセット・フレームのオペレーション・オブジェクト識別子で指示された部分アソシエーション識別子（ａｓｓｏｃｉａｔｉｏｎ  ｉｄｅｎｔｉｆｉｅｒ、略称：ＡＩＤ）が、プリセット・フレームを受信したＳＴＡ装置の部分ＡＩＤとは異なるとき、ＳＴＡ装置はＤｏｚｅ状態に入る。条件２：プリセット・フレームのオペレーション・オブジェクト識別子で指示された部分ＡＩＤがＳＴＡ装置の部分ＡＩＤと同じであるが、現在フレームがＳＴＡに送信されないとき、ＳＴＡ装置はＤｏｚｅ状態に入る。条件３：プリセット・フレームのオペレーション・オブジェクト識別子がＳＴＡ装置に対する指示を含み、ＳＴＡがデータビット指示が０であるより多くのデータフレームを受信するとき、ＳＴＡ装置はＤｏｚｅ状態に入る。
【００１９】
既存の省電力方法が採用される場合、同じＴＸＯＰ内の各フレームのＮｏ  ＴＸＯＰ  ＰＳは完全に同じである。ＭＵ−ＭＩＭＯモードに対し、最初のフレームのＮｏ  ＴＸＯＰ  ＰＳ指示が省電力許可を指示するとき、最初のフレームに含まれていないＳＴＡ装置がＴＸＯＰの後続フレームのオペレーション・オブジェクト識別子において関係している場合、ＳＴＡ装置は最初のフレームを受信した後にＤｏｚｅ状態に入っているので、後続フレームの指示は応答される可能性がない。しかし、ＳＵ−ＭＩＭＯモードに対し、最初のフレームのＮｏ  ＴＸＯＰ  ＰＳ指示が省電力許可を指示するとき、ＴＸＯＰの後続フレームによって指示されたＳＴＡ装置が最初のフレームによって指示されたＳＴＡ装置とは異なる場合、後続フレームによって指示されたＳＴＡ装置は最初のフレームを受信した後にＤｏｚｅ状態に入っているので、後続フレームの指示は応答される可能性がない。
【００２０】
前述の欠点に関して、本発明の実施形態は、省電力方法を提案し、同じＴＸＯＰにおいて、異なるＮｏ  ＴＸＯＰ  ＰＳが異なるフレームに対し設定されてもよく、具体的には、ＡＰが位置している通信システムが現在ＴＸＯＰにおいて省電力を許可するか否か、及び、局ＳＴＡの識別子がＴＸＯＰの後続フレームにおいて新たに追加されるか否かに従って、ＡＰは、各フレームのＮｏ  ＴＸＯＰ  ＰＳを設定し、ＳＴＡは、Ｎｏ  ＴＸＯＰ  ＰＳに従ってＤｏｚｅ状態に入るべきか否かを判断する。詳細については、以下の実施形態１から実施形態６を参照されたい。
【００２１】
本発明の以下の実施形態では、ＳＴＡは、Ｄｏｚｅ状態に入る機能を有するＳＴＡであり、本発明の実施形態では、ＳＴＡ装置は、Ｄｏｚｅ状態に入る機能を有するＳＴＡ装置であることに注意を要する。しかし、前述の通り、Ｄｏｚｅ状態に入る機能を有していないＳＴＡ装置は、常にＡｗａｋｅ状態を維持し、ドーズ条件に従ってＤｏｚｅ状態に入ることが可能であるか否かを判断する必要がなく、省電力するためＤｏｚｅ状態に入る効果を高めるために本発明の方法を採用する必要がない。
【００２２】
更に、前述の背景技術の記載に従って以下の点が理解され得る。
【００２３】
Ｄｏｚｅ状態に入る機能を有するＳＴＡであるＳＴＡは、ＳＴＡがＤｏｚｅ状態に入る機能を有し、且つ、現在ＴＸＯＰが終了するまでＤｏｚｅ状態を維持するＳＴＡであることを含むこと、及び
【００２４】
Ｄｏｚｅ状態に入る機能を有するＳＴＡ装置であるＳＴＡ装置は、ＳＴＡ装置がＤｏｚｅ状態に入る機能を有し、現在ＴＸＯＰが終了するまでＤｏｚｅ状態を維持するＳＴＡ装置であることを含むこと。
【００２５】
即ち、ＳＴＡ装置がＤｏｚｅ状態に入ることを決定するとき、ＳＴＡ装置は、Ｄｏｚｅ状態に入り、現在ＴＸＯＰが終了するまでＤｏｚｅ状態を維持する。以下の実施形態では、ＳＴＡ装置がＤｏｚｅ状態に入るということが意味することである。
【００２６】
図１は、本発明の実施形態１による省電力方法のフローチャートである。本発明の実施形態１では、ＡＰ装置の動作プロセスが省電力方法を例示するために一例として挙げられる。図１に示されるように、この方法は以下の手順を含む。
【００２７】
ステップ１０１：省電力が現在ＴＸＯＰで許可されているか否か、及び、新たに追加される局ＳＴＡの識別子が現在ＴＸＯＰの各フレームの後続フレームのオペレーション・オブジェクト識別子に有るか否かに従って、ＡＰ装置は、各フレームのＴＸＯＰ省電力指示を設定する。
【００２８】
ステップ１０２：ＡＰ装置は、現在フレームのＴＸＯＰ省電力指示が省電力許可を指示するとき、ＳＴＡ装置がドーズ条件に対する判断結果に従ってＤｏｚｅ状態に入るべきか否かを決定するように、現在ＴＸＯＰの１つ以上のフレームをＳＴＡ装置に送信する。
【００２９】
このステップでは、各フレームは、フレームのオペレーション・オブジェクト識別子とフレームのＴＸＯＰ省電力指示とを含んでいる。
【００３０】
前述の技術的解決手段に基づいて、ステップ１０１の具体的な方法が更に導入される。同じＴＸＯＰにおいて、各フレームのＴＸＯＰ省電力指示は、省電力が現在ＴＸＯＰで許可されているか否か、及び、新たに追加されるステーションＳＴＡの識別子が現在ＴＸＯＰの各フレームの後続フレームのオペレーション・オブジェクト識別子に有るか否かに従って、ＡＰによってそれぞれ設定される。具体的には、ＡＰは、新たに追加される局ＳＴＡの識別子が現在ＴＸＯＰの各フレームの後続フレームのオペレーション・オブジェクト識別子に有るか否かを判断するために２つの方法を採用してもよい。第１の方法は、現在フレーム及び現在フレームより前のフレームのオペレーション・オブジェクト識別子が、現在ＴＸＯＰにおける現在フレームより後の全てのフレームでデータを転送することが必要とされるＳＴＡ装置を指示するか否かが判断され、肯定である場合、これは、新しいＳＴＡ装置が現在フレームの後続フレームの各々において指示されないことを指示し、局ＳＴＡの識別子が後で新たに追加されないという条件が満たされ、そうではない場合、局ＳＴＡの識別子が後で新たに追加されないという条件が満たされない、というものである。第２の方法は、現在フレームのオペレーション・オブジェクト識別子が、現在ＴＸＯＰにおける現在フレームより後の全てのフレームでデータを転送することが必要とされるＳＴＡ装置を指示するか否かが判断され、肯定である場合、これは、新しいＳＴＡ装置が現在フレームの後続フレームの各々において指示されないことを指示し、局ＳＴＡの識別子が後で新たに追加されないという条件が満たされ、そうではない場合、局ＳＴＡの識別子が後で新たに追加されないという条件が満たされない、というものである。前述の方法のいずれか１つは、局ＳＴＡの識別子が後で新たに追加されるか否かを判断するために採用され、ＴＸＯＰ省電力指示を設定する方法は、局ＳＴＡの識別子が後で新たに追加されず、省電力が現在ＴＸＯＰで許可されているとき、現在ＴＸＯＰの現在フレームのＴＸＯＰ省電力指示に省電力許可が設定されてもよく、又は、現在ＴＸＯＰの現在フレームのＴＸＯＰ省電力指示に省電力禁止が設定されてもよく、現在フレームより後のいずれかのフレームのＴＸＯＰ省電力指示に省電力許可が設定される。局ＳＴＡの識別子が後で新たに追加されるとき、現在フレームのＴＸＯＰ省電力指示に省電力禁止が設定されてもよく、即ち、省電力が現在ＴＸＯＰで許可されているか否かを問わずに、局ＳＴＡの識別子が後で新たに追加される限り、現在フレームのＴＸＯＰ省電力指示に省電力禁止が設定されてもよく、省電力が現在ＴＸＯＰで許可されていないとき、局ＳＴＡの識別子が後で新たに追加されるか否かを問わずに、現在フレームのＴＸＯＰ省電力指示に省電力禁止が設定されてもよい。
【００３１】
本発明の実施形態１では、ＡＰ装置は、同じＴＸＯＰ内の異なるフレームのＴＸＯＰ省電力指示に対して異なる設定を採用し得るので、ＴＸＯＰ内の一部のフレームに省電力許可を設定することが可能であり、ＳＴＡ装置は、これらのフレームでＤｏｚｅ状態に入り得て、同じＴＸＯＰ内の残りのフレームに省電力禁止が設定され、ＳＴＡ装置は、これらのフレームでＡｗａｋｅ状態を維持し得る。局ＳＴＡの識別子が新たに追加されないこと、及び、省電力が許可されていること、という２つの条件が両方共に満たされるときに限り、ＡＰ装置は、フレーム又はこのフレームの後続フレームのＴＸＯＰ省電力指示に省電力許可を設定するので、ＳＴＡ装置は、ＴＸＯＰ省電力指示に従ってドーズ条件を判断するか否かを決定する。異なるＴＸＯＰ省電力指示省電力指示が異なるフレームに対して設定されるので、最初のフレームのオペレーション・オブジェクト識別子がＴＸＯＰに関係する全てのＳＴＡ装置を含んでいない場合、ＡＰ装置は、最初のフレームのＴＸＯＰ省電力指示に省電力禁止を設定してもよく、最初のフレームから現在フレームまでの複数のフレームのオペレーション・オブジェクト識別子がＴＸＯＰに関係する全てのＳＴＡ装置を含むまで、現在フレームのＴＸＯＰ省電力指示に省電力許可が設定され、従って、この方法は、ＴＸＯＰの最初のフレーム内のオペレーション・オブジェクト識別子がＴＸＯＰに関係する全てのＳＴＡ装置を含んでいない場合に依然として適用可能であり、それによって、省電力適用範囲を拡大する。更に、ＴＸＯＰの最初のフレーム内のオペレーション・オブジェクト識別子がＴＸＯＰに関係する全てのＳＴＡ装置を含んでいない場合、省電力は、既存の省電力方法を使用することによりＴＸＯＰで実行され得ないが、本発明の実施形態１の省電力方法が採用される場合、ＡＰは、最初のフレームのＴＸＯＰ省電力指示に省電力禁止を設定し、各ＳＴＡ装置は、最初のフレームを受信した後にＤｏｚｅ状態に入らず、ＴＸＯＰ省電力指示が省電力許可を指示するフレームが受信されるまで、各ＳＴＡ装置は、ドーズ条件に従ってＤｏｚｅ状態に入るべきか否かを判断し、それによって、省電力効果を高める。
【００３２】
後で新たに追加された前述のＳＴＡは、Ｄｏｚｅ状態に入る機能を有するＳＴＡのことを指し、本発明が回避する必要がある状況は、Ｄｏｚｅ状態に入る機能を有するＳＴＡが現在フレームでＤｏｚｅ状態に入る場合、ＳＴＡは、ＴＸＯＰ内の現在フレームの後続フレームにおいてＳＴＡ自体に送信されるべきデータを受信できないので、通信性能の低下という結果をもたらす、というものであることに注意を要する。結果的に、本発明の実施形態は、Ｄｏｚｅ状態に入る機能を有する局ＳＴＡの識別子が現在フレームにおいて後で（即ち、ＴＸＯＰ内の現在フレームの後続フレームにおいて）新たに追加されるか否かを指示することが必要であり、それによって、Ｄｏｚｅ状態に入る機能を有し、且つ、後で新たに追加されるＳＴＡが指示に従って現在フレームにおいてＤｏｚｅ状態に入らないことを保証し、その結果、ＳＴＡは現在フレームにおいてＳＴＡ自体に送信されるべきデータを受信し得る。しかし、Ｄｏｚｅ状態に入る機能を有するＳＴＡが後で新たに追加されるか否かは、本発明が回避する必要がある前述の状況を招くことがないので、その結果、本発明の実施形態は、Ｄｏｚｅ状態に入る機能を有する局ＳＴＡの識別子が現在フレームにおいて後で新たに追加されるか否かを指示する必要がなく、本発明の前述の記載及び後述の記載における局ＳＴＡの識別子が後で新たに追加されるか否かに関する指示に関連する各ビットの設定は、影響されることがない。
【００３３】
ステップ１０２では、ＡＰ装置は、現在ＴＸＯＰの１つ以上のフレームをＳＴＡ装置に送信し、そして、現在フレームのＴＸＯＰ省電力指示が省電力許可を指示するとき、ＳＴＡ装置は、ドーズ条件に対する判断結果に従ってＤｏｚｅ状態に入るべきか否かを決定する。ここで、Ｄｏｚｅ状態に入るべきか否かを決定することは、実施形態においてＤｏｚｅ状態に入ることが可能であるか否かを決定することでもよいことが容易に理解される。
【００３４】
ステップ１０２において記載されたように、現在フレームのＴＸＯＰ省電力指示が省電力許可を指示する場合、ＳＴＡ装置は、ドーズ条件に対する判断結果に従ってＤｏｚｅ状態に入ることを決定し、一実施形態では、ＳＴＡ装置は、現在フレームにおいてＤｏｚｅ状態に入ってもよく、別の実施形態では、ＳＴＡ装置は、現在フレームにおいてＤｏｚｅ状態に入らなくてもよいが、現在フレーム番号に達するまで、Ｄｏｚｅ状態に入ることが容易に理解される。
【００３５】
更に、前述の通り、ＳＴＡ装置がＤｏｚｅ状態に入ることを決定するとき、ＳＴＡ装置は、Ｄｏｚｅ状態に入り、現在ＴＸＯＰが終了するまでＤｏｚｅ状態を維持する。以下の実施形態では、ＳＴＡ装置がＤｏｚｅ状態に入るというのが意味することである。
【００３６】
図２は、本発明の実施形態２による省電力方法のフローチャートである。本発明の実施形態２では、ＳＴＡ装置の動作プロセスは、省電力方法を例示するために一例として挙げられる。図２に示されるように、この方法は以下の手順を含む。
【００３７】
ステップ２０１：ＳＴＡ装置は、現在ＴＸＯＰの現在フレームを取得し、この現在フレームは、省電力が現在ＴＸＯＰで許可されているか否か、及び、新たに追加される局ＳＴＡの識別子が後続フレームのオペレーション・オブジェクト識別子に有るか否かに従って、ＡＰ装置によって設定されたＴＸＯＰ省電力指示を含んでいる。
【００３８】
このステップでは、ＳＴＡ装置によって取得された各フレームのＴＸＯＰ省電力指示は、ＡＰによって、省電力が現在ＴＸＯＰで許可されているか否か、及び、新たに追加される局ＳＴＡの識別子が現在ＴＸＯＰの各フレームの後続のフレームのオペレーション・オブジェクト識別子に有るか否かに従ってそれぞれ設定される。具体的には、ＡＰは、新たに追加される局ＳＴＡの識別子が現在ＴＸＯＰの各フレームの後続フレームのオペレーション・オブジェクト識別子に有るか否かを判断するために２つの方法を採用してもよい。第１の方法は、現在フレームのオペレーション・オブジェクト識別子及び現在フレームより前のオペレーション・オブジェクト識別子が、現在ＴＸＯＰ内の現在フレームより後の全てのフレームにおいてデータを転送することが必要とされるＳＴＡ装置を指示するか否かが判断され、肯定である場合、これは、新しいＳＴＡ装置が現在フレームの後続フレームの各々において指示されていないことを指示し、局ＳＴＡの識別子が後で新たに追加されないという条件が満たされ、そうではない場合、局ＳＴＡの識別子が後で新たに追加されないという条件が満たされない、というものである。第２の方法は、現在フレームのオペレーション・オブジェクト識別子が、現在ＴＸＯＰ内の現在フレームより後の全てのフレームにおいてデータを転送することが必要とされるＳＴＡ装置を指示するか否かが判断され、肯定である場合、これは、新しいＳＴＡ装置が現在フレームの後続フレームの各々において指示されていないことを指示し、局ＳＴＡの識別子が後で新たに追加されないという条件が満たされ、そうではない場合、局ＳＴＡの識別子が後で新たに追加されないという条件が満たされない、というものである。前述の方法のいずれか１つは、局ＳＴＡの識別子が後で新たに追加されるか否かを判断するために採用され、ＴＸＯＰ省電力指示を設定する方法は、局ＳＴＡの識別子が後で新たに追加されず、省電力が現在ＴＸＯＰで許可されているとき、現在ＴＸＯＰの現在フレームのＴＸＯＰ省電力指示に省電力許可が設定されてもよく、又は、現在ＴＸＯＰの現在フレームのＴＸＯＰ省電力指示に省電力禁止が設定されてもよく、現在フレームより後のいずれかのフレームのＴＸＯＰ消費電力指示に省電力許可が設定される、というものである。局ＳＴＡの識別子が後で新たに追加されるとき、現在フレームのＴＸＯＰ省電力指示に省電力禁止が設定されてもよく、即ち、省電力が現在ＴＸＯＰで許可されているか否かを問わずに、局ＳＴＡの識別子が後で新たに追加される限り、現在フレームのＴＸＯＰ省電力指示に省電力禁止が設定されてもよく、省電力が現在ＴＸＯＰで許可されていないとき、局ＳＴＡの識別子が後で新たに追加されるか否かを問わずに、現在フレームのＴＸＯＰ省電力指示に省電力禁止が設定されてもよい。
【００３９】
ステップ２０２：現在フレームのＴＸＯＰ省電力指示が省電力許可を指示するとき、ＳＴＡ装置は、ドーズ条件に対する判断結果に従ってＤｏｚｅ状態に入るべきか否かを決定する。
【００４０】
前述の技術的解決手段に基づいて、更に、現在フレームのＴＸＯＰ省電力指示が省電力禁止であるとき、ＳＴＡ装置は、現在フレームとして次のフレームを使用し、ステップ２０１に戻る。
【００４１】
本発明の実施形態２では、同じＴＸＯＰ内の異なるフレームのＴＸＯＰ省電力指示は、異なってもよく、局ＳＴＡの識別子が新たに追加されないこと、及び、省電力が許可されていること、という２つの条件が両方共に満たされるときに限り、フレーム又はこのフレームの後続フレームのＴＸＯＰ省電力指示は省電力許可を指示し、現在フレームのＴＸＯＰ省電力指示が省電力許可を指示するときに限り、ＳＴＡはドーズ条件を判断し、判断結果に従ってＤｏｚｅ状態に入るべきか否かを決定する。異なるＴＸＯＰ省電力指示が異なるフレームに対して設定されるので、最初のフレームのオペレーション・オブジェクト識別子がＴＸＯＰに関係する全てのＳＴＡ装置を含んでいない場合、最初のフレームのＴＸＯＰ省電力指示に省電力禁止が設定されてもよく、最初のフレームから現在のフレームまでの複数のフレームのオペレーション・オブジェクト識別子がＴＸＯＰに関係する全てのＳＴＡ装置を含むまで、現在フレームのＴＸＯＰ省電力指示に省電力許可が設定され、その結果、この方法は、ＴＸＯＰの最初のフレーム内のオペレーション・オブジェクト識別子がＴＸＯＰに関係する全てのＳＴＡ装置を含んでいない場合に依然として適用可能であり、それによって、省電力適用範囲を拡大する。更に、ＴＸＯＰの最初のフレーム内のオペレーション・オブジェクト識別子がＴＸＯＰに関係する全てのＳＴＡ装置を含んでいない場合、省電力は、既存の省電力方法を使用することによりＴＸＯＰで実行され得ないが、本発明の実施形態２の省電力方法が採用される場合、最初のフレームのＴＸＯＰ省電力指示は省電力禁止であり、各ＳＴＡ装置は最初のフレームを受信した後にＤｏｚｅ状態に入らず、ＴＸＯＰ省電力指示が省電力許可を指示するフレームが受信されるまで、各ＳＴＡ装置は、ドーズ条件に従ってＤｏｚｅ状態に入るべきか否かを判断し、それによって、省電力効果を高める。
【００４２】
図３は、本発明の実施形態３による省電力方法のフローチャートである。本発明の実施形態３では、ＳＴＡ装置と組み合わせてＡＰ装置の動作プロセスが省電力方法を例示するために一例として挙げられる。本発明の実施形態３では、ＴＸＯＰ省電力指示に対し、ＴＸＯＰ省電力無し指示が一例として挙げられ、ＳＴＡ装置の識別子が現在ＴＸＯＰで新たに追加されず、省電力が現在ＴＸＯＰで許可されているとき、ＡＰは、一例として、現在フレームにおいてＴＸＯＰ省電力無し指示に否定を設定してもよい。本発明の実施形態３では、ドーズ条件は、第１のドーズ条件を含む。図３に示されるように、この方法は以下の手順を含む。
【００４３】
ステップ３０１：ＡＰ装置は、現在ＴＸＯＰの１つ以上のフレームをＳＴＡ装置に送信する。各フレームは、フレームのオペレーション・オブジェクト識別子とフレームのＴＸＯＰ省電力無し指示とを含み、各フレームのＴＸＯＰ省電力無し指示は、新たに追加される局ＳＴＡの識別子が現在ＴＸＯＰの各フレームの後続フレームのオペレーション・オブジェクト識別子に有るか否かに従って、ＡＰによってそれぞれ設定される。
【００４４】
このステップでは、ＴＸＯＰは、１つ以上のフレームを含み、ＡＰ装置は、現在フレームのＴＸＯＰ省電力無し指示を各フレームでＳＴＡ装置に配信し、現在フレームによって指示されたオペレーションに対応するＳＴＡ装置の識別子を配信する。ＡＰは、ＴＸＯＰ省電力無し指示及びオペレーション・オブジェクト識別子を各フレームのプリアンブルシーケンスで搬送し、このプリアンブル・シーケンスをＳＴＡ装置に送信する。具体的には、各フレームのプリアンブル・シーケンスの超高スループット信号Ａ１（Ｖｅｒｙ  ｈｉｇｈ  ｔｈｒｏｕｇｈｐｕｔ  ｓｉｇｎａｌ  Ａ１、略称：ＶＨＴ−ＳＩＧ−Ａ１）フィールドで、１ビットがＴＸＯＰ省電力無し指示のため採用されてもよく、２ビット以上がオペレーション・オブジェクト識別子を指示するために採用される。例えば、オペレーション・オブジェクト識別子に対し、ＶＨＴ−ＳＩＧ−Ａ１フィールド内の１ビット以上がフレームに対応するオペレーション・オブジェクト識別子を指示するために採用されてもよい。ＴＸＯＰ省電力無し指示に対し、ＶＨＴ−ＳＩＧ−Ａ１フィールドのＢ２２ビットは、ＴＸＯＰ省電力無し指示のため採用されてもよく、このビットは、Ｎｏ  ＴＸＯＰ  ＰＳビットと称される。Ｎｏ  ＴＸＯＰ  ＰＳビットが０である場合、これは、ＴＸＯＰ省電力無し指示が否定であることを指示し、このＢＳＳのＳＴＡは、省電力オペレーションの実行を許可され、即ち、ＳＴＡは、Ａｗａｋｅ状態とＤｏｚｅ状態との間で切り替えられることが許可されている。Ｎｏ  ＴＸＯＰ  ＰＳビットが１である場合、これは、ＴＸＯＰ省電力無し指示が肯定であることを指示し、このＢＳＳのＳＴＡは省電力オペレーションの実行を禁止され、即ち、ＳＴＡは、Ａｗａｋｅ状態を維持してもよい。
【００４５】
各フレームのＮｏ  ＴＸＯＰ  ＰＳビットが設定されているとき、ＡＰは、省電力が現在ＴＸＯＰで許可されているか否かに従って設定を実行するだけでなく、局ＳＴＡの識別子がＴＸＯＰ内の現在フレームの後続フレームで新たに追加されているか否かに従って設定することも必要である。具体的には、局ＳＴＡの識別子が後続フレームで新たに追加されず、省電力が現在ＴＸＯＰで許可されている場合、ＡＰ装置は、現在フレームのＮｏ  ＴＸＯＰ  ＰＳビットに、ＳＴＡが省電力の実行を許可されていることを指示する０を設定してもよく、又は、現在フレームのＮｏ  ＴＸＯＰ  ＰＳビットに、ＳＴＡが省電力の実行を禁止されていることを指示する１を設定してもよい。局ＳＴＡの識別子が後続フレームで新たに追加されず、省電力が現在ＴＸＯＰで許可されていない場合、ＡＰは、現在フレームのＮｏ  ＴＸＯＰ  ＰＳビットに、ＳＴＡが省電力の実行を許可されていないことを指示する１を設定する。局ＳＴＡの識別子が後続フレームで新たに追加された場合、ＡＰは、現在フレームのＮｏ  ＴＸＯＰ  ＰＳビットに、ＳＴＡが現在ＴＸＯＰで省電力の実行を許可されていないことを指示する１を設定する。具体的には、ＡＰ装置は、新たに追加される局ＳＴＡの識別子が現在ＴＸＯＰの各フレームの後続フレームのオペレーション・オブジェクト識別子に有るか否かを判断するために本発明の実施形態１及び本発明の実施形態２に記録された２つの方法を採用してもよい。本発明の実施形態３では、第２の方法を採用することだけが例示のための一例として挙げられる。具体的には、ＴＸＯＰ内の現在フレーム及び現在フレームより後の全てのフレームにおいて、ＡＰ装置がデータを同じＳＴＡ装置だけに送信するか、又は、ＡＰ装置がデータを同じＭＵ−ＭＩＭＯグループ内のいくつかのユーザだけに送信する場合、ＡＰ装置は、局ＳＴＡの識別子が後で新たに追加されないことを判断し、従って、Ｎｏ  ＴＸＯＰ  ＰＳビットは、ＳＴＡがＤｏｚｅ状態に入り得るか否かを指示するために使用されてもよく、即ち、Ｎｏ  ＴＸＯＰ  ＰＳ＝０が設定されてもよく、又はＮｏ  ＴＸＯＰ  ＰＳ＝１が設定されてもよい。そうではない場合、ＡＰ装置は、Ｎｏ  ＴＸＯＰ  ＰＳビットに、ＳＴＡ装置はＤｏｚｅ状態に入り得ないことを指示する１を設定してもよく、即ち、ＴＸＯＰ内の現在フレームより後のフレームにおいて、ＡＰ装置が現在フレームのオペレーション・オブジェクト識別子によって指示された数台のＳＴＡ装置以外のＳＴＡ装置にデータを送信する必要がある場合、ＡＰ装置は、ＳＴＡ装置がＤｏｚｅ状態に入り得ないことを指示してもよい。ＴＸＯＰ内の現在フレームより後のフレームにおいて、ＡＰ装置が現在フレームのオペレーション・オブジェクト識別子によって指示された数台のＳＴＡ装置以外のＳＴＡ装置にデータを送信する具体的な状況は、ＳＵ−ＭＩＭＯモードにおいて、ＡＰ装置が現在フレームのオペレーション・オブジェクト識別子によって指示されたＳＴＡ装置以外のＳＴＡ装置にデータを送信することと、ＭＵ−ＭＩＭＯモードにおいて、ＡＰが現在フレームのオペレーション・オブジェクト識別子によって指示された複数のＳＴＡ装置から形成された組以外のＳＴＡ装置にデータを送信することと、を含む。
【００４６】
ＭＵ−ＭＩＭＯモードでは、オペレーション・オブジェクト識別子は、グループ識別情報（Ｇｒｏｕｐ  Ｉｄｅｎｔｉｔｙ、略称：Ｇｒｏｕｐ  ＩＤ）である。この省電力方法が実行される前に、Ｇｒｏｕｐ  ＩＤは、シグナリングを通じて前もって定義され、ＳＴＡ装置に設定される。具体的には、ＭＵ−ＭＩＭＯモードでは、１つ以上のＭＵ−ＭＩＭＯグループが含まれ、各ＭＵ−ＭＩＭＯグループは、２台以上のＳＴＡ装置、一般に４台のＳＴＡ装置を含み、前述の１つ以上のＭＵ−ＭＩＭＯグループの各々は、Ｇｒｏｕｐ  ＩＤを通じて識別される。この省電力方法が実行される前に、ＡＰ装置は、関連するシグナリングを通じて前述のＧｒｏｕｐ  ＩＤの定義を各ＳＴＡ装置に送信し、前述の定義を受信した後、各ＳＴＡ装置は、これ自体に関連する部分を前述の定義に格納するので、この省電力方法が実行されたとき、ＡＰ装置は、オペレーション・オブジェクト識別子、即ち、Ｇｒｏｕｐ  ＩＤをＳＴＡ装置に送信し、Ｇｒｏｕｐ  ＩＤを受信した後、ＳＴＡ装置は、ＳＴＡ装置がＳＴＡ装置自体に格納されたＧｒｏｕｐ  ＩＤの定義に従ってＧｒｏｕｐ  ＩＤによって指示されたＭＵ−ＭＩＭＯグループに属するか否かを知ることができ、ＳＴＡ装置がＧｒｏｕｐ  ＩＤによって指示されたＭＵ−ＭＩＭＯグループに属する場合、これは、オペレーション・オブジェクト識別子がこのＳＴＡ装置に対する指示を含んでいることを指示し、ＳＴＡ装置がＧｒｏｕｐ  ＩＤによって指示されたＭＵ−ＭＩＭＯグループに属していない場合、これは、オペレーション・オブジェクト識別子がこのＳＴＡ装置に対する指示を含んでいないことを指示する。ＳＵ−ＭＩＭＯモードでは、オペレーション・オブジェクト識別子は、フレームに対応するＳＴＡの部分アソシエーション識別子（ａｓｓｏｃｉａｔｉｏｎ  ｉｄｅｎｔｆｉｅｒ、略称：ＡＩＤ）であり、又は、オペレーション・オブジェクト識別子は、フレームに対応するＳＴＡのＡＩＤの一部であり、このＡＩＤの一部は、部分ＡＩＤとも称される。具体的な実施方式は、ＳＵ−ＭＩＭＯモードにおいて、ＡＩＤが１２ビットで形成され、オペレーション・オブジェクト識別子がＡＩＤの１２ビットのうちの下位９ビットである、というものである。ＡＩＤ又は部分ＡＩＤがこのＳＴＡ装置のＡＩＤ又は部分ＡＩＤと同じである場合、このことは、オペレーション・オブジェクト識別子がこのＳＴＡ装置に対する指示を含んでいることを指示し、ＡＩＤ又は部分ＡＩＤがこのＳＴＡ装置のＡＩＤ又は部分ＡＩＤと異なる場合、このことは、オペレーション・オブジェクト識別子がこのＳＴＡ装置に対する指示を含んでいないことを指示する。
【００４７】
ステップ３０２：ＳＴＡ装置は、現在ＴＸＯＰの現在フレームを取得し、現在フレームは、フレームのＴＸＯＰ省電力無し指示とフレームのオペレーション・オブジェクト識別子とを含んでいる。
【００４８】
このステップでは、ＳＴＡ装置は、ＡＰ装置からのフレームのプリアンブル・シーケンスから現在フレームのＴＸＯＰ省電力無し指示とオペレーション・オブジェクト識別子とを取得する。
【００４９】
ステップ３０３：ＳＴＡ装置は、現在フレームのＴＸＯＰ省電力無し指示が肯定であるか又は否定であるかを判断し、否定である場合、ステップ３０４が実行され、肯定である場合、ＳＴＡ装置は、Ａｗａｋｅ状態を維持し、ＳＴＡ装置は、新しい現在フレームとして次のフレームを使用し、ステップ３０２に戻る。
【００５０】
このステップでは、ＳＴＡ装置は、ＴＸＯＰ省電力無し指示を表すために使用される前述の１ビットが肯定であるか又は否定であるかを判断し、このビットが否定である場合、これは、２つの条件が同時に満たされることを指示し、即ち、ＴＸＯＰ省電力が許可され、局ＳＴＡの識別子が後で新たに追加されず、省電力が実行されてもよく、手順が引き続き以下のステップ３０４を実行し、このビットが肯定である場合、これは、条件のうちの一方が満たされないか、又は、いずれの条件も満たされないことを指示し、ＳＴＡ装置は、Ａｗａｋｅ状態を維持する。
【００５１】
ステップ３０４：現在ＴＸＯＰの現在フレームから最後のフレームまでの各フレームにおいて、ＳＴＡ装置は、第１のドーズ条件が満たされているか否かを判断し、肯定である場合、ＳＴＡ装置は、Ｄｏｚｅ状態に入り、否定である場合、ＳＴＡ装置は、Ａｗａｋｅ状態を維持する。
【００５２】
このステップでは、既存の通信プロトコルにおけるドーズ条件が第１のドーズ条件に従って修正されることが必要とされることはなく、それによって、既存の通信装置をより簡便にアップグレードし、再構成する。
【００５３】
具体的には、ＭＵ−ＭＩＭＯモードでは、第１のドーズ条件は、以下の３つの条件のうちのいずれか１つ又はいずれかの組み合わせを含んでもよく、条件のうちの１つが満たされるとき、即ち、第１のドーズ条件が満たされると判断すると、ＳＴＡ装置はＤｏｚｅ状態に入り、第１のドーズ条件によって含まれる１つ以上の条件全てが満たされないとき、第１のドーズ条件は満たされないと判断され、ＳＴＡ装置はＡｗａｋｅ状態を維持する。これらの３つの条件は、具体的には以下の内容を含んでもよい。条件１：現在フレームのオペレーション・オブジェクト識別子がこのＳＴＡ装置に対する指示を含んでいないとき、ＳＴＡ装置はＤｏｚｅ状態に入る。条件２：現在フレームのオペレーション・オブジェクト識別子がこのＳＴＡ装置に対する指示を含み、且つ、このＳＴＡに対応する空間多重化ストリーム数の指示が０であるとき、ＳＴＡ装置はＤｏｚｅ状態に入る。条件３：現在フレームのオペレーション・オブジェクト識別子がこのＳＴＡ装置に対する指示を含み、且つ、このＳＴＡがデータビット指示が０であるより多くのデータフレームを受信するとき、ＳＴＡ装置はＤｏｚｅ状態に入る。
【００５４】
このステップでは、ＳＵ−ＭＩＭＯモードにおいて、第１のドーズ条件は、以下の３つの条件のうちのいずれか１つ又はいずれかの組み合わせを含んでもよく、条件のうちの１つが満たされるとき、即ち、第１のドーズ条件が満たされると判断するとき、ＳＴＡ装置はＤｏｚｅ状態に入り、第１のドーズ条件によって含まれる１つ以上の条件全てが満たされないとき、第１のドーズ条件が満たされないと判断し、ＳＴＡ装置はＡｗａｋｅ状態を維持する。これらの３つの条件は、具体的には以下の内容を含んでもよい。条件１：現在フレームのオペレーション・オブジェクト識別子で指示された部分ＡＩＤがこのＳＴＡ装置の部分ＡＩＤとは異なるとき、ＳＴＡ装置はＤｏｚｅ状態に入る。条件２：現在フレームのオペレーション・オブジェクト識別子で指示された部分ＡＩＤがこのＳＴＡ装置の部分ＡＩＤと同じであるが、現在フレームがこのＳＴＡに送信されないとき、ＳＴＡ装置はＤｏｚｅ状態に入る。具体的には、ＳＴＡ装置は、現在フレームが複数の方式でこのＳＴＡ装置に送信されたか否かを判断してもよく、ここで、具体的な実施方式は、ＳＴＡ装置が現在フレームのＭＡＣ識別子がこのＳＴＡ装置のＭＡＣ識別子に適合するか否かを判断し、肯定である場合、現在フレームはこのＳＴＡ装置に送信され、否定である場合、現在フレームはこのＳＴＡ装置に送信されない、というものである。条件３：現在フレームのオペレーション・オブジェクト識別子がこのＳＴＡ装置に対する指示を含み、このＳＴＡが、データビット指示が０であるより多くのデータフレームを受信するとき、ＳＴＡ装置はＤｏｚｅ状態に入る。
【００５５】
ステップ３０４が実行されるとき、現在ＴＸＯＰの現在フレームから最後のフレームまでの各フレームにおいて、典型的な実施方式の判断プロセスは以下の通りである。
【００５６】
第１ステップ：ＳＴＡ装置は、現在フレームのオペレーション・オブジェクト識別子がこのＳＴＡ装置に対する指示を含んでいるか否かを判断し、肯定である場合、第２ステップが実行され、否定である場合、ＳＴＡ装置はＤｏｚｅ状態に入る。
【００５７】
第２ステップ：ＭＵ−ＭＩＭＯモードにおいて、このＳＴＡに対応する空間多重化ストリーム数の指示が０であるか否か、又は、このＳＴＡがデータビット指示が０であるより多くのデータフレームを受信するか否かを判断し、肯定である場合、ＳＴＡ装置はＤｏｚｅ状態に入り、否定である場合、ＳＴＡ装置はＡｗａｋｅ状態を維持する。ＳＵ−ＭＩＭＯモードでは、現在フレームがこのＳＴＡ装置に送信されたか否かを判断し、又は、このＳＴＡがデータビット指示が０であるより多くのデータフレームを受信したか否かを判断し、現在フレームがこのＳＴＡ装置に送信されていない場合、又は、このＳＴＡ装置がデータビット指示が０であるより多くのデータフレームを受信する場合、ＳＴＡ装置はＤｏｚｅ状態に入り、現在フレームがこのＳＴＡ装置に送信され、且つ、このＳＴＡ装置がデータビット指示が１であるより多くのデータフレームを受信する場合、ＳＴＡ装置はＡｗａｋｅ状態を維持する。
【００５８】
本発明の実施形態３では、同じＴＸＯＰ内の異なるフレームのＮｏ  ＴＸＯＰ  ＰＳは異なってもよく、省電力が許可され、局ＳＴＡの識別子がＴＸＯＰの後続フレームで新たに追加されないときに限り、フレームのＮｏ  ＴＸＯＰ  ＰＳは、省電力許可を指示してもよく、ＳＴＡは、現在フレームのＮｏ  ＴＸＯＰ  ＰＳの指示に従って第１のドーズ条件を判断すべきか否かを決定する。異なるＮｏ  Ｎｏ  ＴＸＯＰ  ＰＳが異なるフレームに対し設定されるので、最初のフレームのオペレーション・オブジェクト識別子がＴＸＯＰに関係する全てのＳＴＡ装置を含んでいない場合、最初のフレームのＮｏ  ＴＸＯＰ  ＰＳに省電力禁止が設定されてもよく、局ＳＴＡの識別子が新たに追加されるか否かを判断する第１の方法が採用されると仮定すると、最初のフレームから現在フレームまでの複数のフレームのオペレーション・オブジェクト識別子がＴＸＯＰに関係する全てのＳＴＡ装置を含んでいたときまでに限り、現在フレームのＮｏ  ＴＸＯＰ  ＰＳに省電力許可が設定されてもよく、局ＳＴＡの識別子が新たに通過されるか否かを判断する第２の方法が採用されると仮定すると、現在フレームのオペレーション・オブジェクト識別子がＴＸＯＰ内の現在フレームより後の全てのフレームに関係する全てのＳＴＡ装置を含んでいたときまでに限り、現在フレームのＮｏ  ＴＸＯＰ  ＰＳに省電力許可が設定されてもよく、その結果、この方法は、ＴＸＯＰの最初のフレーム内のオペレーション・オブジェクト識別子がＴＸＯＰに関係する全てのＳＴＡ装置を含んでいない場合に依然として適用可能であり、それによって、省電力適用範囲を拡大する。更に、ＴＸＯＰの最初のフレーム内のオペレーション・オブジェクト識別子がＴＸＯＰに関係する全てのＳＴＡ装置を含んでいない場合、省電力は、既存の省電力方法を使用することにより初めからＴＸＯＰで実行され得ないが、本発明の実施形態３の省電力方法が採用される場合、最初のフレームのＮｏ  ＴＸＯＰ  ＰＳは省電力禁止であり、ＳＴＡ装置は、最初のフレームを受信した後にＤｏｚｅ状態に入らず、Ｎｏ  ＴＸＯＰ  ＰＳが省電力許可であるフレームが受信されるまで、ＳＴＡ装置は、第１のドーズ条件に従ってＤｏｚｅ状態に入るべきか否かを判断し、それによって、省電力効果を高める。
【００５９】
図４は、本発明の実施形態４による省電力方法のフローチャートである。本発明の実施形態４では、ＳＴＡ装置と組み合わせてＡＰ装置の動作プロセスが省電力方法を例示するために一例として挙げられる。本発明の実施形態４では、ドーズ条件は、第１のドーズ条件及び第２のドーズ条件を含む。本発明の実施形態３に記録された技術的解決手段の技術に、現在フレームのＮｏ  ＴＸＯＰ  ＰＳが省電力禁止であるとき、ＳＴＡ装置が第２のドーズ条件を判断し、判断結果を記録することが追加され、現在フレームのＮｏ  ＴＸＯＰ  ＰＳが省電力許可であるとき、記録された判断結果に従ってＤｏｚｅ状態に入るべきか否かを決定することが追加される。図４に示されるように、この方法は以下の手順を含む。
【００６０】
ステップ４０１：ＡＰ装置は、現在ＴＸＯＰの１つ以上のフレームをＳＴＡ装置に送信する。各フレームは、フレームのオペレーション・オブジェクト識別子及びフレームのＴＸＯＰ省電力無し指示を含み、各フレームのＴＸＯＰ省電力無し指示は、新たに追加される局ＳＴＡの識別子が現在ＴＸＯＰの各フレームの後続フレームのオペレーション・オブジェクト識別子に有るか否かに従ってＡＰによってそれぞれ設定される。
【００６１】
このステップは、本発明の実施形態３におけるステップ３０１と同じであり、ここで繰り返さない。
【００６２】
ステップ４０２：ＳＴＡ装置は、現在ＴＸＯＰの現在フレームを取得し、この現在フレームは、フレームのＴＸＯＰ省電力無し指示及びフレームのオペレーション・オブジェクト識別子を含む。
【００６３】
このステップは、本発明の実施形態３におけるステップ３０２と同じであり、ここで繰り返さない。
【００６４】
ステップ４０３：ＳＴＡ装置は、現在フレームのＴＸＯＰ省電力無し指示が肯定であるか又は否定であるかを判断し、否定である場合、ステップ４０４が実行され、肯定である場合、ステップ４０６が実行される。
【００６５】
ステップ４０４：ＳＴＡ装置は、記録された判断結果が満たされるか又は満たされないかを判断し、これが満たされる場合、ＳＴＡ装置は、Ｄｏｚｅ状態に入り、これが満たされない場合、ステップ４０５が実行される。
【００６６】
ステップ４０５：現在ＴＸＯＰの現在フレームから最後のフレームまでの各フレームにおいて、ＳＴＡ装置は、第１のドーズ条件が満たされるか否かを判断し、肯定である場合、ＳＴＡ装置はＤｏｚｅ状態に入り、否定である場合、ＳＴＡ装置はＡｗａｋｅ状態を維持する。
【００６７】
このステップは、本発明の実施形態３におけるステップ３０４と同じであり、ここで繰り返さない。
【００６８】
ステップ４０６：ＳＴＡ装置はＡｗａｋｅ状態を維持し、第２のドーズ状態が満たされるか否かを判断し、判断結果を記録し、新しい現在フレームとして次のフレームを使用し、ステップ４０２に戻る。
【００６９】
このステップでは、具体的には、ＭＵ−ＭＩＭＯモードにおいて、第２のドーズ条件は、以下の２つの条件のうちの一方又は両方の組み合わせを含んでもよい。これらの条件のうちの１つが満たされるとき、即ち、第２のドーズ条件が満たされると判断すると、ＳＴＡ装置は、判断結果：満たされる、を記録する。第２のドーズ条件に含まれている条件がいずれも満たされないとき、第２のドーズ条件は満たされないと判断され、ＳＴＡ装置は、判断結果：満たされない、を記録する。２つの条件は、具体的には、以下の内容を含んでもよい。条件１：現在フレームのオペレーション・オブジェクト識別子はこのＳＴＡ装置に対する指示を含み、このＳＴＡに対応する空間多重化ストリーム数の指示は０である。条件２：現在フレームのオペレーション・オブジェクト識別子はこのＳＴＡ装置に対する指示を含み、このＳＴＡはデータビット指示が０であるより多くのデータフレームを受信する。
【００７０】
このステップでは、ＳＵ−ＭＩＭＯモードにおいて、第２のドーズ条件は以下の２つの条件のうちの一方又は両方の組み合わせを含んでもよい。これらの条件のうちの１つが満たされるとき、即ち、第２のドーズ条件が満たされると判断すると、ＳＴＡ装置は、判断結果：満たされる、を記録する。第２のドーズ条件によって含まれている条件がいずれも満たされないとき、第２のドーズ条件は満たされないと判断され、ＳＴＡ装置は、判断結果：満たされない、を記録する。２つの条件は、具体的には、以下の内容を含んでもよい。条件１：現在フレームのオペレーション・オブジェクト識別子に指示される部分ＡＩＤは、このＳＴＡ装置の部分ＡＩＤと同じであるが、現在フレームはこのＳＴＡ装置に送信されない。具体的には、ＳＴＡ装置は、現在フレームが複数の方式でこのＳＴＡ装置に送信されたか否かを判断してもよく、具体的な実施方式は、ＳＴＡ装置が現在フレームのＭＡＣ識別子がこのＳＴＡ装置のＭＡＣ識別子に適合するか否かを判断し、肯定である場合、現在フレームはこのＳＴＡ装置に送信され、否定である場合、現在フレームはこのＳＴＡ装置に送信されない、というものである。条件２：現在フレームのオペレーション・オブジェクト識別子は、このＳＴＡ装置に対する指示を含み、このＳＴＡ装置は、データビット指示が０であるより多くのデータフレームを受信する。
【００７１】
本発明の実施形態４では、同じＴＸＯＰ内の異なるフレームのＮｏ  ＴＸＯＰ  ＰＳは異なってもよく、省電力が許可され、局ＳＴＡの識別子がＴＸＯＰの後続フレームで新たに追加されないときに限り、フレームのＮｏ  ＴＸＯＰ  ＰＳが省電力許可を指示してもよい。現在フレームのＮｏ  ＴＸＯＰ  ＰＳの指示に従って、現在フレームのＮｏ  ＴＸＯＰ  ＰＳが省電力禁止されているとき、ＳＴＡ装置は、第２のドーズ条件を最初に判断し、判断結果を記録し、その後、次のフレームのＮｏ  ＴＸＯＰ  ＰＳを判断し、後続の手順では、Ｎｏ  ＴＸＯＰ  ＰＳが省電力許可であるフレームを受信した後、ＳＴＡ装置は、第２のドーズ条件の記録された判断結果に従ってＤｏｚｅ状態に入るべきか否かを最初に決定し、判断結果が満たされないとき、ＳＴＡ装置は、次に、現在フレームから最後のフレームまでの複数のフレームに対する第１のドーズ条件を判断し、それによって、Ｄｏｚｅ状態に入るべきか否かを決定する。この方法は、ＴＸＯＰの最初のフレーム内のオペレーション・オブジェクト識別子がＴＸＯＰに関係する全てのＳＴＡ装置を含んでいない場合に依然として適用可能であり、それによって、省電力適用範囲を拡大するだけでなく、省電力効果も高める。更に、前もって第２のドーズ条件を判断し、Ｎｏ  ＴＸＯＰ  ＰＳが省電力禁止であるときに結果を記録することにより、結果が第２のドーズ条件が満たされているであるとき、Ｎｏ  ＴＸＯＰ  ＰＳが省電力許可であるフレームが受信されると、ＳＴＡ装置は直ちにＤｏｚｅ状態に入ることができて、第１のドーズ条件を判断することを要求されないので、ＳＴＡ装置は、Ｄｏｚｅ状態に入る判断時間を更に節約するように、できるだけ早くＤｏｚｅ状態に入ることができて、それによって、省電力効果を高める。詳しくは、このようなＳＴＡ装置が存在してもよく、このＳＴＡ装置は、Ｎｏ  ＴＸＯＰ  ＰＳが省電力禁止であるフレームのうちの少なくとも１つで第２のドーズ条件を満たすが、Ｎｏ  ＴＸＯＰ  ＰＳが省電力許可である各フレームで第２のドーズ条件を満たさず、その他の実施形態において記録された技術的解決手段が採用される場合、ＳＴＡ装置は、Ｄｏｚｅ状態に入ることができず、本発明の実施形態４に記録された技術的解決手段が採用された場合、ＳＴＡ装置は、Ｄｏｚｅ状態に入ることができて、それによって、省電力効果を更に高める。
【００７２】
更に、本発明の実施形態３及び本発明の実施形態４において、ＴＸＯＰ省電力無し指示は、ＴＸＯＰ省電力指示の唯一の具体的な実施方式であり、この分野の技術者は、従来技術に従って、許可されたＴＸＯＰ省電力指示がＴＸＯＰ省電力指示を表すために採用されてもよく、許可されたＴＸＯＰ省電力指示が肯定であるとき、これは、省電力が現在ＴＸＯＰで許可されていることを指示し、許可されたＴＸＯＰ省電力指示が否定であるとき、これは、省電力が現在ＴＸＯＰで禁止されていることを指示することを理解し得る。
【００７３】
更に、本発明の実施形態１から本発明の実施形態４において、ＴＸＯＰ省電力指示を設定するとき、ＡＰは、ＴＸＯＰ省電力指示の値が変更される回数及び／又はＴＸＯＰ省電力指示の値の変更形式を更に制限してもよい。
【００７４】
同じＴＸＯＰにおいて、省電力が現在ＴＸＯＰで許可されているか否か、及び、局ＳＴＡの識別子がＴＸＯＰの後続フレームで新たに追加されているか否かに従って、ＡＰ装置は、各フレームのＴＸＯＰ省電力指示を設定し、ＴＸＯＰ省電力指示の値は複数回変化してもよく、例えば、１番目のフレームでは、省電力が許可され、局ＳＴＡの識別子が後で新たに追加され、１番目のフレームのＴＸＯＰ省電力指示は省電力禁止であり、Ｎｏ  ＴＸＯＰ  ＰＳ＝１が一例として挙げられ、２番目のフレームでは、省電力が許可され、局ＳＴＡの識別子が後で新たに追加されず、２番目のフレームのＴＸＯＰ省電力指示は省電力許可であり、Ｎｏ  ＴＸＯＰ  ＰＳ＝０が一例として挙げられ、３番目のフレームでは、省電力は許可されず、局ＳＴＡの識別子が後で新たに追加されず、３番目のフレームのＴＸＯＰ省電力指示は省電力禁止であり、Ｎｏ  ＴＸＯＰ  ＰＳ＝１が一例として挙げられ、残りは類推によって推論され得る。前述の技術的解決手段に基づいて、ＡＰ装置及びＳＴＡ装置の処理手順の複雑さを低減するため、ＴＸＯＰ省電力指示が設定されるとき、ＴＸＯＰ省電力指示の値が１つのＴＸＯＰで変更される回数は、プリセットされてもよく、ＡＰ装置は、ＴＸＯＰ省電力指示の値が変更されるプリセット回数に応じて各フレームのＴＸＯＰ省電力指示を更にそれぞれ設定してもよい。例えば、ＴＸＯＰ省電力指示の値が変更されるプリセット回数は２回又は３回であり、典型的な実施方式は、ＴＸＯＰ省電力指示の値が変更されるプリセット回数が１回であり、即ち、同じＴＸＯＰにおいて、ＴＸＯＰ省電力指示が１回変更するためだけに許可される、というものである。前述の例では、省電力が現在ＴＸＯＰで許可されているか否か、及び、局ＳＴＡの識別子がＴＸＯＰの後続フレームで新たに追加されるか否かに従って、３番目のフレームにＮｏ  ＴＸＯＰ  ＰＳ＝１が設定されるべきであるが、ＴＸＯＰ省電力指示の値が変更されるプリセット回数は１回であり、２番目のフレームでは、ＴＸＯＰ省電力指示は、１番目のフレームと相対的に変更されるので、３番目のフレームでは、Ｎｏ  ＴＸＯＰ  ＰＳは変更されず、２番目のフレームの場合と同様にＮｏ  ＴＸＯＰ  ＰＳ＝０が依然として採用される。
【００７５】
前述の技術的解決手段に基づいて、１つのＴＸＯＰにおけるＴＸＯＰ省電力指示の値の変更形式は更にプリセットされてもよく、ＡＰ装置は、ＴＸＯＰ省電力指示の値のプリセットされた変更形式に従って各フレームのＴＸＯＰ省電力指示を設定する。例えば、１つのＴＸＯＰにおけるＴＸＯＰ省電力指示の値の変更形式を省電力禁止指示から省電力許可指示に変更されるようにプリセットする。その結果、同じＴＸＯＰにおいて、ＴＸＯＰ省電力指示は、省電力禁止指示から省電力許可指示に変更されることだけが許可され、即ち、現在フレームの先行フレームのＴＸＯＰ省電力指示が省電力禁止である場合、現在フレームのＴＸＯＰ省電力指示に省電力許可を設定することが許可され、現在フレームの先行フレームのＴＸＯＰ省電力指示が省電力許可を指示する場合、現在フレームのＴＸＯＰ省電力指示に省電力禁止を設定することが許可されていない。一例としてＮｏ  ＴＸＯＰ  ＰＳを挙げると、これの値は、１から０に変更されることだけが許可され、省電力が現在ＴＸＯＰで許可されているか否か、及び、新たに追加される局ＳＴＡの識別子が現在ＴＸＯＰの各フレームの後続フレームのオペレーション・オブジェクト識別子に有るか否かに従って、省電力許可指示は省電力禁止指示に変更されるべきであると判断されるとき、ＡＰ装置は、ＴＸＯＰ省電力指示の設定を変えず、即ち、ＴＸＯＰ省電力指示は、省電力許可指示であることが依然として維持される。
【００７６】
更に、前述の技術的解決手段に基づいて、この手順における現在フレームは、更に拡張され得る。具体的には、ステップ３０２及びステップ４０２において、現在ＴＸＯＰの現在フレームを取得するのに加えて、ＳＴＡ装置は、現在ＴＸＯＰの最初のフレームから現在フレームまでの２つ以上のフレームを更に取得してもよく、２つ以上のフレームは、フレームのそれぞれのオペレーション・オブジェクト識別子を含む。第１のドーズ条件がステップ３０４で判断され、第２のドーズ条件がステップ４０６で判断されるとき、現在フレームのオペレーション・オブジェクト識別子に従って判断された全ての条件は、前述の２つ以上のフレームのオペレーション・オブジェクト識別子に従って判断された条件に拡張される。
【００７７】
図５は、本発明の実施形態５によるＡＰ装置の略構成図である。図５に示されるように、ＡＰ装置は、少なくとも設定モジュール５１と送信モジュール５２とを含む。本発明５の実施形態５のＡＰ装置の具体的な作動プロセスは、本発明の実施形態１から本発明の実施形態４に記録された前述の技術的解決手段のことを指してもよい。
【００７８】
設定モジュール５１は、省電力が現在ＴＸＯＰで許可されているか否か、及び、新たに追加される局ＳＴＡの識別子が現在ＴＸＯＰの各フレームの後続フレームのオペレーション・オブジェクト識別子に有るか否かに従って、各フレームのＴＸＯＰ省電力指示を設定するように構成されている。
【００７９】
送信モジュール５２は、現在フレームのＴＸＯＰ省電力指示が省電力許可を指示するとき、ＳＴＡ装置がドーズ条件に対する判断結果に従ってＤｏｚｅ状態に入るべきか否かを決定するように、現在ＴＸＯＰの１つ以上のフレームをＳＴＡ装置に送信するように構成されている。
【００８０】
前述の技術的解決手段に基づいて、設定モジュール５１は、省電力が現在ＴＸＯＰで許可され、且つ、新たに追加される局ＳＴＡの識別子が現在ＴＸＯＰの現在フレームの後続フレームのオペレーション・オブジェクト識別子にない場合、現在フレームのＴＸＯＰ省電力指示に省電力許可又は省電力禁止を設定し、省電力が現在ＴＸＯＰで許可されていない場合、現在フレームのＴＸＯＰ省電力指示に省電力禁止を設定し、新たに追加される局ＳＴＡの識別子が現在ＴＸＯＰの現在フレームの後続フレームのオペレーション・オブジェクト識別子に有る場合、現在フレームのＴＸＯＰ省電力指示に省電力禁止を設定するように構成されている。
【００８１】
前述の技術的解決手段に基づいて、設定モジュール５１は、省電力が現在ＴＸＯＰで許可され、且つ、新たに追加される局ＳＴＡの識別子が現在ＴＸＯＰの現在フレームの後続フレームのオペレーション・オブジェクト識別子にない場合、現在フレームより後のプリセット位置にあるフレームのＴＸＯＰ省電力指示に省電力許可又は省電力禁止を設定し、省電力が現在ＴＸＯＰで許可されていない場合、現在フレームのＴＸＯＰ省電力指示に省電力禁止を設定し、新たに追加される局ＳＴＡの識別子が現在ＴＸＯＰの現在フレームの後続フレームのオペレーション・オブジェクト識別子に有る場合、現在フレームのＴＸＯＰ省電力指示に省電力禁止を設定するように構成されている。
【００８２】
前述の技術的解決手段に基づいて、設定モジュール５１は、現在フレームのオペレーション・オブジェクト識別子と現在フレームより前のオペレーション・オブジェクト識別子とが現在ＴＸＯＰ内の現在フレームより後の全てのフレームでデータを転送することが必要とされたＳＴＡ装置を指示する場合、局ＳＴＡの識別子が現在ＴＸＯＰの現在フレームの後続フレームのオペレーション・オブジェクト識別子に新たに追加されていないと決定するように構成されている。あるいは、設定モジュール５１は、現在フレームのオペレーション・オブジェクト識別子が現在ＴＸＯＰ内の現在フレームより後の全てのフレームでデータを転送することが必要とされたＳＴＡを指示する場合、局ＳＴＡの識別子が現在ＴＸＯＰの現在フレームの後続フレームのオペレーション・オブジェクト識別子に新たに追加されていないと決定するように構成されている。
【００８３】
前述の技術的解決手段に基づいて、設定モジュール５１は、ＴＸＯＰ省電力指示の値が１つのＴＸＯＰで変更されるプリセット回数に従って、各フレームのＴＸＯＰ省電力指示を設定するように更に構成されている。及び／又は、設定モジュール５１は、１つのＴＸＯＰにおけるＴＸＯＰ省電力指示の値のプリセット変更形式に従って、各フレームのＴＸＯＰ省電力指示を設定するように更に構成されている。
【００８４】
前述の技術的解決手段に基づいて、設定モジュール５１は、ＴＸＯＰ省電力指示の値が１つのＴＸＯＰで変更されるプリセット回数が１回であることに従って、各フレームのＴＸＯＰ省電力指示を設定するように構成されている。及び／又は、設定モジュール５１は、現在フレームの先行フレームのＴＸＯＰ省電力指示が省電力禁止であるＴＸＯＰ内のＴＸＯＰ省電力指示の値のプリセット変更形式、及び、現在フレームのＴＸＯＰ省電力指示が省電力許可を指示することに従って、各フレームのＴＸＯＰ省電力指示をそれぞれ設定するように構成されている。
【００８５】
本発明の実施形態５では、局ＳＴＡの識別子が新たに追加されないこと、及び、省電力が許可されていることという２つの条件が両方共に満たされるときに限り、ＡＰ装置の設定モジュールは、フレーム又はこのフレームの後続フレームのＴＸＯＰ省電力指示に省電力許可を設定し、それ故に、ＳＴＡ装置は、ドーズ条件がＴＸＯＰ省電力指示に従って判断されるか否かを決定する。その結果、ＴＸＯＰの最初のフレーム内のオペレーション・オブジェクト識別子がＴＸＯＰに関係する全てのＳＴＡ装置を含んでいない場合、省電力は依然として実行可能であり、それによって、省電力適用範囲を拡大し、省電力効果を高める。
【００８６】
図６は、本発明の実施形態６のＳＴＡ装置の略構成図である。図６に示されるように、ＳＴＡ装置は、取得モジュール６１及び制御モジュール６２を少なくとも含む。本発明５の実施形態６のＳＴＡ装置の具体的な作動プロセスは、本発明の実施形態１から本発明の実施形態４に記録された前述の技術的解決手段を指してもよい。
【００８７】
取得モジュール６１は、現在ＴＸＯＰの現在フレームを取得するように構成され、この現在フレームは、省電力が現在ＴＸＯＰで許可されているか否か、及び、新たに追加される局ＳＴＡの識別子が後続フレームのオペレーション・オブジェクト識別子に有るか否かに従って、ＡＰ装置によって設定されたＴＸＯＰ省電力指示を含む。
【００８８】
制御モジュール６２は、現在フレームのＴＸＯＰ省電力指示が省電力許可を指示するとき、ドーズ条件に対する判断結果に従ってＤｏｚｅ状態に入るべきか否かを決定するようＳＴＡ装置を制御するように構成されている。
【００８９】
前述の技術的解決手段に基づいて、制御モジュール６２は、現在フレームのＴＸＯＰ省電力指示が省電力禁止であるとき、Ａｗａｋｅ状態を維持するようＳＴＡ装置を制御し、現在フレームとして次のフレームを使用することにより現在ＴＸＯＰの現在フレームを取得するよう取得モジュール６１を制御するように更に構成されている。
【００９０】
前述の技術的解決手段に基づいて、制御モジュール６２は、現在フレームのＴＸＯＰ省電力指示が省電力許可を指示するとき、第１のドーズ条件が現在ＴＸＯＰの現在フレームから最後のフレームまでの各フレームで満たされるか否かを判断し、肯定である場合、Ｄｏｚｅ状態に入るようＴＡ装置を制御し、否定である場合、Ａｗａｋｅ状態を維持するようＳＴＡ装置を制御するように構成されている。第１のドーズ条件は、現在フレームのオペレーション・オブジェクト識別子がこのＳＴＡ装置に対する指示を含んでいないこと、又は、現在フレームのオペレーション・オブジェクト識別子がこのＳＴＡ装置に対する指示を含み、且つ、このＳＴＡに対応する空間多重化ストリーム数の指示が０であること、又は、現在フレームのオペレーション・オブジェクト識別子がこのＳＴＡ装置に対する指示を含み、且つ、このＳＴＡはデータビット指示が０であるより多くのデータフレームを受信することを含む。あるいは、第１のドーズ条件は、現在フレームのオペレーション・オブジェクト識別子で指示された部分ＡＩＤがこのＳＴＡ装置の部分ＡＩＤとは異なること、又は、現在フレームのオペレーション・オブジェクト識別子で指示された部分ＡＩＤがこのＳＴＡ装置の部分ＡＩＤと同じであり、且つ、現在フレームはこのＳＴＡに送信されないこと、又は、現在フレームのオペレーション・オブジェクト識別子がこのＳＴＡ装置に対する指示を含み、且つ、このＳＴＡがデータビット指示が０であるより多くのデータフレームを受信することを含む。
【００９１】
前述の技術的解決手段に基づいて、制御モジュール６２は、現在フレームのＴＸＯＰ省電力指示が省電力禁止であるとき、第２のドーズ条件が満たされているか否かを判断し、判断結果を記録するように更に構成されている。第２のドーズ条件は、現在フレームのオペレーション・オブジェクト識別子がこのＳＴＡ装置に対する指示を含み、且つ、このＳＴＡに対応する空間多重化ストリーム数の指示が０であること、又は、現在フレームのオペレーション・オブジェクト識別子がこのＳＴＡ装置に対する指示を含み、且つ、このＳＴＡがデータビット指示が０であるより多くのデータフレームを受信することを含む。又は、第２のドーズ条件は、現在フレームのオペレーション・オブジェクト識別子で指示された部分ＡＩＤがこのＳＴＡ装置の部分ＡＩＤと同じであり、且つ、現在フレームがこのＳＴＡに送信されていないこと、又は、現在フレームのオペレーション・オブジェクト識別子がこのＳＴＡ装置に対する指示を含み、且つ、このＳＴＡがデータビット指示が０であるより多くのデータフレームを受信することを含む。
【００９２】
前述の技術的解決手段に基づいて、制御モジュール６２は、現在フレームのＴＸＯＰ省電力指示が省電力許可を指示するとき、第２のドーズ条件の記録された判断結果が満たされるか又は満たされないかを判断し、判断結果が満たされる場合、Ｄｏｚｅ状態に入るようＳＴＡ装置を制御し、判断結果が満たされない場合、第１のドーズ条件が満たされるか否かを判断するように更に構成されている。
【００９３】
本発明の実施形態６では、局ＳＴＡの識別子が新たに追加されていないこと、及び、省電力が許可されていることという２つの条件が両方共に満たされるときに限り、ＳＴＡ装置の取得モジュールによって取得されたフレーム、又は、このフレームの後続フレームのＴＸＯＰ省電力指示が省電力許可を指示し、現在フレームのＴＸＯＰ省電力指示が省電力許可を指示するときに限り、ＳＴＡ装置の制御モジュールは、ドーズ条件を判断し、判断結果に従ってＤｏｚｅ状態に入るべきか否かを決定する。その結果、ＴＸＯＰの最初のフレーム内のオペレーション・オブジェクト識別子がＴＸＯＰに関係する全てのＳＴＡ装置を含んでいない場合、この方法は、依然として省電力の実行が可能であり、それによって、省電力適用範囲を拡大し、省電力効果を高める。
【００９４】
本発明の別の態様では、従来技術に存在する欠点に関して、本発明の実施形態は、従来技術において同じＴＸＯＰ内の全てのフレームのＮｏ  ＴＸＯＰ  ＰＳを同じにするように設定する方法を変更することなく、この説明に基づいて、局ＳＴＡの識別子がＴＸＯＰのフレームに後で新たに追加するか否かを指示することによる省電力方法を提案し、この省電力方法の適用範囲が拡大される。詳しくは、以下の実施形態７から実施形態１１を参照されたい。
【００９５】
図７は、本発明の実施形態７による省電力方法のフローチャートである。図７に示されるように、この方法は以下の手順を含む。
【００９６】
ステップ７０１：ＳＴＡ装置は、現在送信機会（Ｔｒａｎｓｍｉｔ  Ｏｐｐｏｒｔｕｎｉｔｙ、略称：ＴＸＯＰ）の後続ＳＴＡ指示及びＴＸＯＰ省電力指示を含む現在フレームと、オペレーション・オブジェクト識別子を含むプリセット・フレームとをそれぞれ取得する。
【００９７】
ステップ７０２：現在フレームのＴＸＯＰ省電力指示が許可され、プリセット・フレームのオペレーション・オブジェクト識別子がこのＳＴＡ装置に対する指示を含まず、現在フレームの後続ＳＴＡ指示が局ＳＴＡの識別子が後で新たに追加されることがないというものであるとき、ＳＴＡ装置はＤｏｚｅ状態に入る。
【００９８】
前述の技術的解決手段に基づいて、ステップ７０２は、現在フレームのＴＸＯＰ省電力指示が許可され、プリセット・フレームのオペレーション・オブジェクト識別子がこのＳＴＡ装置に対する指示を含まず、現在フレームの後続ＳＴＡ指示が局ＳＴＡの識別子が後で新たに追加されることがないというものであるとき、ＳＴＡ装置はＡｗａｋｅ状態を維持することを更に含む。
【００９９】
本発明の実施形態７では、ＳＴＡ装置は、ＴＸＯＰ省電力指示、後続ＳＴＡ指示、及びオペレーション・オブジェクト識別子によって含まれる範囲という３つの条件に従って判断を実行し、ＴＸＯＰ省電力指示が許可され、後続ＳＴＡ指示が局ＳＴＡの識別子が後で新たに追加されることがないというものであり、プリセット・フレームのオペレーション・オブジェクト識別子がこのＳＴＡ装置の識別子を含んでいないとき、ＳＴＡ装置はＤｏｚｅ状態に入る。その結果、この方法は、ＴＸＯＰの最初のフレーム内のオペレーション・オブジェクト識別子がＴＸＯＰに関係する全てのＳＴＡ装置を含んでいない場合に依然として適用可能であり、それによって、省電力適用範囲を拡大する。更に、ＴＸＯＰの最初のフレーム内のオペレーション・オブジェクト識別子がＴＸＯＰに関係する全てのＳＴＡ装置を含んでいない場合、省電力は、既存の省電力方法を使用することにより初めからＴＸＯＰで実行され得ないが、本発明の実施形態７の省電力方法が採用される場合、ＳＴＡ装置は、最初のフレームを受信した後にＤｏｚｅ状態に入らず、後続ＳＴＡ指示が局ＳＴＡの識別子が後で新たに追加されないというものであるフレームが受信されるまで、ＳＴＡ装置はＤｏｚｅ状態に入り始め、それによって、省電力効果を高める。
【０１００】
図８は、本発明の実施形態８による省電力方法のフローチャートである。具体的には、本発明の実施形態８では、後続ＳＴＡ指示が局ＳＴＡの識別子が後で新たに追加されないという指示であり（Ｎｏ  Ｍｏｒｅ  ＳＴＡ指示と称される）、局ＳＴＡの識別子が後で新たに追加されないという指示が肯定であるとき、これは、局ＳＴＡの識別子が後で新たに追加されないということを指示し、局ＳＴＡの識別子が後で新たに追加されないという指示が否定であるとき、これは、局ＳＴＡの識別子が後で新たに追加されることを指示する。本発明の実施形態８では、ＴＸＯＰ省電力指示は、ＴＸＯＰ省電力無し指示、即ち、Ｎｏ  ＴＸＯＰ  ＰＳ指示であり、ＴＸＯＰ省電力無し指示が肯定であるとき、これは、省電力が現在ＴＸＯＰで禁止されることを指示し、ＴＸＯＰ省電力無し指示が否定であるとき、これは、省電力が現在ＴＸＯＰで許可されることを指示する。
【０１０１】
更に、本発明の実施形態８では、局ＳＴＡの識別子が後で新たに追加されないという指示、及び、ＴＸＯＰ省電力無し指示が１ビットを採用することによりそれぞれ指示される。図８に示されるように、この方法は以下の手順を含む。
【０１０２】
ステップ８０１：ＡＰ装置は、局ＳＴＡの識別子が後で新たに追加されないという指示と、ＴＸＯＰ省電力無し指示と、オペレーション・オブジェクト識別子とを現在ＴＸＯＰの各フレームでＳＴＡ装置に送信する。
【０１０３】
このステップでは、ＡＰ装置は、局ＳＴＡの識別子が後で新たに追加されないという指示が肯定であるか又は否定であるかと、ＴＸＯＰ省電力無し指示が肯定であるか又は否定であるかと、このフレームによって指示されたオペレーションに対応するＳＡＴ装置の識別子とを、ＳＴＡ装置に直接的に配信する。ＴＸＯＰは１つ以上のフレームを含み、ＡＰは、局ＳＴＡの識別子が後で新たに追加されないという指示と、ＴＸＯＰ省電力無し指示と、オペレーション・オブジェクト識別子とを各フレームのプリアンブル・シーケンスで搬送し、プリアンブル・シーケンスをＳＴＡ装置に送信する。具体的には、各フレームのプリアンブル・シーケンスの超高スループット信号Ａ１（Ｖｅｒｙ  ｈｉｇｈ  ｔｈｒｏｕｇｈｐｕｔ  ｓｉｇｎａｌ  Ａ１、略称：ＶＨＴ−ＳＩＧ−Ａ１）フィールドで、１ビットが局ＳＴＡの識別子が後で新たに追加されないという指示のため採用され、１ビットがＴＸＯＰ省電力無し指示のため採用され、２ビット以上がオペレーション・オブジェクト識別子を指示するために採用される。例えば、ＶＨＴ−ＳＩＧ−Ａ１フィールドの予約（Ｒｅｓｅｒｖｅｄ、略称：ＲＳＶＤ）ビットは、局ＳＴＡの識別子が後で新たに追加されないという指示のため採用され、このビットは、ＮｏＭｏｒｅＳＴＡビットと称され、ＮｏＭｏｒｅＳＴＡビットが１であるとき、これは、局ＳＴＡの識別子が後で新たに追加されないという指示が肯定であることを指示し、現在ＴＸＯＰに関係する全てのＳＴＡ装置は、現在フレーム及び現在フレームより前のフレームのオペレーション・オブジェクト識別子で指示され、新しいＳＴＡ装置は現在フレームの後続フレーム各々で指示されず、ＮｏＭｏｒｅＳＴＡビットが０であるとき、これは、局ＳＴＡの識別子が後で新たに追加されないという指示が否定であることを指示し、現在ＴＸＯＰに関係する必ずしも全てのＳＴＡ装置が現在フレーム及び現在フレームより前のフレームのオペレーション・オブジェクト識別子で指定されることはなく、新しいＳＴＡ装置は、現在フレームの後続フレーム各々で指示される。ＴＸＯＰ省電力無し指示に対し、ＶＨＴ−ＳＩＧ−Ａ１フィールドのＢ２２ビットは、ＴＸＯＰ省電力無し指示のため採用されてもよく、このビットはＮｏ  ＴＸＯＰ  ＰＳビットと称され、Ｎｏ  ＴＸＯＰ  ＰＳビットが０である場合、これは、ＴＸＯＰ省電力無し指示が否定であることを指示し、このＢＳＳのＳＴＡは、省電力オペレーションの実行が許可され、即ち、ＳＴＡは、Ａｗａｋｅ状態とＤｏｚｅ状態との間で切り替えられることが許可され、Ｎｏ  ＴＸＯＰ  ＰＳビットが１である場合、これは、ＴＸＯＰ省電力無し指示が肯定であることを指示し、このＢＳＳのＳＴＡは、省電力オペレーションの実行が禁止される。オペレーション・オブジェクト識別子に対し、ＶＨＴ−ＳＩＧ−Ａ１フィールド内の１ビット以上は、フレームに対応するオペレーション・オブジェクト識別子を指示するために採用され得る。
【０１０４】
ＭＵ−ＭＩＭＯモードにおいて、オペレーション・オブジェクト識別子は、グループＩＤ（Ｇｒｏｕｐ  Ｉｄｅｎｔｉｔｙ、略称：Ｇｒｏｕｐ  ＩＤ）である。この省電力方法が実行される前に、Ｇｒｏｕｐ  ＩＤがシグナリングを通じて前もって定義され、ＳＴＡ装置に設定される。具体的には、ＭＵ−ＭＩＭＯモードにおいて、１つ以上のＭＵ−ＭＩＭＯグループが含まれ、各ＭＵ−ＭＩＭＯグループは、２台以上のＳＴＡ装置、一般に４台のＳＴＡ装置を含み、前述の１つ以上のＭＵ−ＭＩＭＯグループ各々は、Ｇｒｏｕｐ  ＩＤを介して識別される。この省電力方法が実行される前に、ＡＰ装置は、関連するシグナリングを通じて前述のＧｒｏｕｐ  ＩＤの定義を各ＳＴＡ装置に送信し、前述の定義を受信した後、各ＳＴＡ装置は、これ自体に関連する部分を前述の定義に格納するので、この省電力方法が実行されたとき、ＡＰ装置は、オペレーション・オブジェクト識別子、即ち、Ｇｒｏｕｐ  ＩＤをＳＴＡ装置に送信し、Ｇｒｏｕｐ  ＩＤを受信した後、ＳＴＡ装置は、ＳＴＡ装置がＳＴＡ装置自体に格納されたＧｒｏｕｐ  ＩＤの定義に従ってＧｒｏｕｐ  ＩＤによって指示されたＭＵ−ＭＩＭＯグループに属するか否かを知ることができ、ＳＴＡ装置がＧｒｏｕｐ  ＩＤによって指示されたＭＵ−ＭＩＭＯグループに属する場合、これは、オペレーション・オブジェクト識別子がこのＳＴＡ装置に対する指示を含んでいることを指示し、ＳＴＡ装置がＧｒｏｕｐ  ＩＤによって指示されたＭＵ−ＭＩＭＯグループに属していない場合、これは、オペレーション・オブジェクト識別子がこのＳＴＡ装置に対する指示を含んでいないことを指示する。ＳＵ−ＭＩＭＯモードでは、オペレーション・オブジェクト識別子は、フレームに対応するＳＴＡの部分アソシエーション識別子（ａｓｓｏｃｉａｔｉｏｎ  ｉｄｅｎｔｆｉｅｒ、略称：ＡＩＤ）であり、又は、オペレーション・オブジェクト識別子は、フレームに対応するＳＴＡのＡＩＤの一部であり、このＡＩＤの一部は、部分ＡＩＤとも称される。具体的な実施方式は、ＳＵ−ＭＩＭＯモードにおいて、ＡＩＤが１２ビットで形成され、オペレーション・オブジェクト識別子がＡＩＤの１２ビットのうちの下位９ビットである、というものである。ＡＩＤ又は部分ＡＩＤがこのＳＴＡ装置のＡＩＤ又は部分ＡＩＤと同じである場合、このことは、オペレーション・オブジェクト識別子がこのＳＴＡ装置に対する指示を含んでいることを指示し、ＡＩＤ又は部分ＡＩＤがこのＳＴＡ装置のＡＩＤ又は部分ＡＩＤと異なる場合、このことは、オペレーション・オブジェクト識別子がこのＳＴＡ装置に対する指示を含んでいないことを指示する。
【０１０５】
ステップ８０２：ＳＴＡ装置は、局ＳＴＡの識別子が後で新たに追加されないという指示及びＴＸＯＰ省電力無し指示を含む現在ＴＸＯＰの現在フレームと、オペレーション・オブジェクト識別子を含むプリセット・フレームとをそれぞれ取得する。
【０１０６】
このステップでは、ＳＴＡ装置は、ＡＰ装置からのフレームのプリアンブル・シーケンスから、現在フレームについての局ＳＴＡの識別子が後で新たに追加されないという指示と、現在フレームのＴＸＯＰ省電力無し指示と、プリセット・フレームのオペレーション・オブジェクト識別子とを取得する。プリセット・フレームは、２つの具体的な実施方式を採用してもよく、第１の実施方式では、プリセット・フレームは現在ＴＸＯＰの現在フレームであり、第２の実施方式では、プリセット・フレームは現在ＴＸＯＰの最初のフレームから現在フレームまでの１つ以上のフレームである。
【０１０７】
ステップ８０３：ＳＴＡ装置は、現在フレームのＴＸＯＰ省電力無し指示が肯定であるか又は否定であるかを判断し、肯定である場合、ＳＴＡ装置は、Ａｗａｋｅ状態を維持し、否定である場合、ステップ８０４が実行される。
【０１０８】
このステップでは、現在フレームのＴＸＯＰ省電力無し指示が肯定である場合、これは、ＳＴＡ装置が現在ＴＸＯＰで省電力の実行をＡＰ装置が禁止することを指示し、その結果、ＳＴＡ装置はＡｗａｋｅ状態を維持することが必要である。現在フレームのＴＸＯＰ省電力無し指示が否定である場合、これは、ＳＴＡ装置が現在ＴＸＯＰで省電力の実行をＡＰ装置が許可することを指示し、手順は引き続き以下のステップ８０４を実行する。
【０１０９】
ステップ８０４：ＳＴＡ装置は、第１のドーズ条件が満たされるか否かを判断し、肯定である場合、ＳＴＡ装置はＤｏｚｅ状態に入り、否定である場合、ＳＴＡ装置はＡｗａｋｅ状態を維持する。
【０１１０】
このステップでは、ＭＵ−ＭＩＭＯモードにおいて、第１のドーズ条件は、以下の３つの条件のうちのいずれか１つ又はいずれかの組み合わせを含んでもよく、条件のうちの１つが満たされるとき、即ち、第１のドーズ条件が満たされると判断すると、ＳＴＡ装置はＤｏｚｅ状態に入り、第１のドーズ条件によって含まれる１つ以上の条件全てが満たされないとき、第１のドーズ条件が満たされないと判断し、ＳＴＡ装置はＡｗａｋｅ状態を維持する。３つの条件は、具体的には、以下の内容を含んでもよい。条件１：プリセット・フレームのオペレーション・オブジェクト識別子がこのＳＴＡ装置に対する指示を含まず、且つ、局ＳＴＡの識別子が現在フレームの後で新たに追加されないという指示が肯定であるとき、ＳＴＡ装置はＤｏｚｅ状態に入る。条件２：プリセット・フレームのオペレーション・オブジェクト識別子がこのＳＴＡ装置に対する指示を含み、且つ、このＳＴＡに対応する空間多重化ストリーム数の指示が０であるとき、ＳＴＡ装置はＤｏｚｅ状態に入る。条件３：プリセット・フレームのオペレーション・オブジェクト識別子がこのＳＴＡ装置に対する指示を含み、且つ、このＳＴＡがデータビット指示が０であるより多くのデータフレームを受信するとき、ＳＴＡ装置はＤｏｚｅ状態に入る。
【０１１１】
このステップでは、ＳＵ−ＭＩＭＯモードにおいて、第１のドーズ条件は、以下の３つの条件のうちの１つ以上の組み合わせを含んでもよく、条件のうちの１つが満たされるとき、即ち、第１のドーズ条件が満たされると判断すると、ＳＴＡ装置はＤｏｚｅ状態に入り、第１のドーズ条件によって含まれる１つ以上の条件全てが満たされないとき、第１のドーズ条件は満たされないと判断し、ＳＴＡ装置はＡｗａｋｅ状態を維持する。これらの３つの条件は、具体的には以下の内容を含んでもよい。条件１：プリセット・フレームのオペレーション・オブジェクト識別子によって指示された部分ＡＩＤがこのＳＴＡ装置の部分ＡＩＤとは異なり、局ＳＴＡの識別子が現在フレームの後で新たに追加されないという指示が肯定であるとき、ＳＴＡ装置はＤｏｚｅ状態に入る。条件２：プリセット・フレームのオペレーション・オブジェクト識別子によって指示される部分ＡＩＤがこのＳＴＡ装置の部分ＡＩＤと同じであり、局ＳＴＡの識別子が現在フレームの後で新たに追加されないという指示が肯定であるが、現在フレームがこのＳＴＡに送信されないとき、ＳＴＡ装置はＤｏｚｅ状態に入る。具体的には、ＳＴＡ装置は、現在フレームが複数の方式でこのＳＴＡ装置に送信されるか否かを判断してもよく、ここで、具体的な実施方式は、ＳＴＡ装置が現在フレームの媒体アクセス制御（Ｍｅｄｉｕｍ  Ａｃｃｅｓｓ  Ｃｏｎｔｒｏｌ、略称：ＭＡＣ）識別子はこのＳＴＡ装置のＭＡＣ識別子に適合するか否かを判断し、肯定である場合、現在フレームがこのＳＴＡ装置に送信され、否定である場合、現在フレームはこのＳＴＡ装置に送信されないというものである。条件３：プリセット・フレームのオペレーション・オブジェクト識別子がこのＳＴＡ装置に対する指示を含み、このＳＴＡがデータビット指示が０であるより多くのデータフレームを受信するとき、ＳＴＡ装置はＤｏｚｅ状態に入る。
【０１１２】
ステップ８０４が実行されるとき、典型的な実施方式の判断プロセスは以下の通りである。
【０１１３】
第１ステップ：ＳＴＡ装置は、プリセット・フレームのオペレーション・オブジェクト識別子がこのＳＴＡ装置に対する指示を含んでいるか否かを判断し、肯定である場合、第２のステップが実行され、否定である場合、第３のステップが実行される。第１のステップでは、プリセット・フレームの前述の２つの具体的な実施方式に対し、プリセット・フレームが現在ＴＸＯＰの現在フレームである場合、第１のステップでは、現在フレームのオペレーション・オブジェクト識別子はこのＳＴＡ装置に対する指示を含んでいるか否かが判断され、プリセット・フレームが現在ＴＸＯＰの最初のフレームから現在フレームまでである場合、第１のステップでは、最初のフレームから現在フレームまでの複数のフレームのオペレーション・オブジェクト識別子がこのＳＴＡ装置に対する指示を含んでいるか否かが判断される。
【０１１４】
第２ステップ：ＭＵ−ＭＩＭＯモードにおいて、このＳＴＡに対応する空間多重化ストリーム数の指示が０であるか否か、又は、このＳＴＡがデータビット指示が０であるより多くのデータフレームを受信するか否かを判断し、肯定である場合、ＳＴＡ装置はＤｏｚｅ状態に入り、否定である場合、ＳＴＡ装置はＡｗａｋｅ状態を維持する。ＳＵ−ＭＩＭＯモードにおいて、現在フレームがこのＳＴＡ装置に送信されたか否かを判断し、又は、このＳＴＡがデータビット指示が０であるより多くのデータフレームを受信したか否かを判断し、現在フレームがこのＳＴＡ装置に送信されていない場合、又は、このＳＴＡ装置がデータビット指示が０であるより多くのデータフレームを受信する場合、ＳＴＡ装置はＤｏｚｅ状態に入り、現在フレームがこのＳＴＡ装置に送信され、且つ、このＳＴＡ装置がデータビット指示が１であるより多くのデータフレームを受信する場合、ＳＴＡ装置はＡｗａｋｅ状態を維持する。第２ステップでは、プリセット・フレームのオペレーション・オブジェクト識別子がこのＳＴＡ装置に対する指示を含むとき、既存の省電力方法における第２のドーズ条件がＳＴＡ装置がＤｏｚｅ状態に入るか否かを判断するために採用される。第２のドーズ条件に対する具体的な判断は、既存の省電力方法の場合と同じであり、ここで繰り返さない。
【０１１５】
第３ステップ：ＳＴＡ装置は、局ＳＴＡの識別子が現在フレームの後で新たに追加されないという指示が肯定であるか、又は、否定であるかを判断し、肯定である場合、ＳＴＡ装置はＤｏｚｅ状態に入り、否定である場合、ＳＴＡ装置はＡｗａｋｅ状態を維持する。第３ステップでは、局ＳＴＡの識別子が現在フレームの後で新たに追加されないという指示が否定である場合、新たに追加されたＳＴＡが後続フレームで依然として出現し得ることを実証し、その結果、現在フレームまで、オペレーション・オブジェクト識別子に未だ含まれていないＳＴＡ装置は、後続フレームのオペレーションで使用されてもよく、その結果、ＳＴＡ装置は、Ａｗａｋｅ状態を維持することが必要である。局ＳＴＡの識別子が現在フレームの後で新たに追加されないという指示が肯定である場合、新たに追加されたＳＴＡが後続フレームで出現しないことを実証し、ＳＴＡ装置の消費電力を節約するために、現在フレームまでのプリセット・フレームのオペレーション・オブジェクト識別子に未だ含まれていないＳＴＡ装置がＤｏｚｅ状態に入ることを可能にさせられ、このＳＴＡ装置の受信機はオフにされることが考慮されてもよい。
【０１１６】
本発明の実施形態８では、ＡＰ装置は、局ＳＴＡの識別子が後で新たに追加されないという指示と、ＴＸＯＰ省電力無し指示と、オペレーション・オブジェクト識別子とを現在ＴＸＯＰの各フレームでＳＴＡ装置に送信し、ＳＴＡ装置は、ＡＰ装置からＴＸＯＰ省電力無し指示を直接的に取得し、まず、ＴＸＯＰ省電力無し指示に従って省電力が許可されているか否かを判断し、次に、オペレーション・オブジェクト識別子と、省電力が許可されているときに続けて局ＳＴＡの識別子が後で新たに追加されないという指示とに従って、Ｄｏｚｅ状態に入るべきか否かを判断する。その結果、この方法は、ＴＸＯＰの最初のフレーム内のオペレーション・オブジェクト識別子がこのＴＸＯＰに関係する全てのＳＴＡ装置を含んでいることを必要としないので、それによって、省電力方法の適用範囲を拡大し、省電力効果を高める。
【０１１７】
図９は、本発明の実施形態９による省電力方法のフローチャートである。本発明の実施形態９では、後続ＳＴＡ指示が局ＳＴＡの識別子が後で新たに追加されないという指示であり、ＴＸＯＰ省電力指示がＴＸＯＰ省電力無し指示であるということが一例として挙げられる。
【０１１８】
更に、本発明の実施形態９では、シグナリング資源を節約するために、ＴＸＯＰ省電力無し指示を指示するビットはもはや使用されず、通信当事者は、ＴＸＯＰ省電力無し指示が否定であること、即ち、省電力がデフォルト設定によって現在ＴＸＯＰで許可されることを前もって規定することを可能にし、それ故に、ビットが指示を実行するために採用される必要がなく、それによって、ビットのシグナリング・オーバーヘッドを節約する。具体的には、この方法は、通信標準を指定する方式を採用してもよく、ＴＸＯＰ省電力無し指示が通信標準ではないこと、又は、ＴＸＯＰ省電力無し指示に関する指示情報が通信標準に関係していないこと、即ち、この標準がデフォルト設定によって現在ＴＸＯＰにおける省電力を許可することと等価であることが指定されてもよい。しかし、局ＳＴＡの識別子が後で新たに追加されないという指示は、指示を実行するためにビットを依然として採用する。図９に示されるように、この方法は以下の手順を含む。
【０１１９】
ステップ９０１：ＡＰ装置は、局ＳＴＡの識別子が後で新たに追加されないという指示とオペレーション・オブジェクト識別子とを現在ＴＸＯＰの各フレームでＳＴＡ装置に送信する。
【０１２０】
このステップでは、ＡＰ装置が局ＳＴＡの識別子が後で新たに追加されないという指示とオペレーション・オブジェクト識別子とを現在ＴＸＯＰの各フレームでＳＴＡ装置に送信するという具体的な方法は、本発明の実施形態８におけるステップ８０１で記録された方法と同じであり、ここで繰り返さない。
【０１２１】
ステップ９０２：ＳＴＡ装置は、現在ＴＸＯＰの局ＳＴＡの識別子が後で新たに追加されないという指示及びＴＸＯＰ省電力無し指示を含む現在フレームと、オペレーション・オブジェクト識別子を含むプリセット・フレームとをそれぞれ取得する。
【０１２２】
このステップでは、ＳＴＡ装置は、プリセットＴＸＯＰ省電力無し指示に従って、ＴＸＯＰ省電力無し指示が否定であることを取得する。ＳＴＡ装置が局ＳＴＡの識別子が現在ＴＸＯＰの現在フレームの後で新たに追加されないという指示と、プリセット・フレームのオペレーション・オブジェクト識別子とを取得する具体的な方法は、本発明の実施形態８におけるステップ８０２で記録された方法と同じであり、ここで繰り返さない。
【０１２３】
本発明の実施形態９では、これは、通信当事者がＴＸＯＰ省電力無し指示は否定であり、ＳＴＡ装置はＴＸＯＰ省電力無し指示を判断する必要がなく、プロセスは以下のステップ９０３を直接的に実行してもよいことを規定していることと等価である。
【０１２４】
ステップ９０３：ＳＴＡ装置は、第１のドーズ条件が満たされているか否かを判断し、肯定である場合、ＳＴＡ装置はＤｏｚｅ状態に入り、否定である場合、ＳＴＡ装置はＡｗａｋｅ状態を維持する。
【０１２５】
このステップの具体的な方法は、本発明の実施形態８におけるステップ８０４で記録された方法と同じであり、ここで繰り返さない。
【０１２６】
本発明の実施形態９では、通信プロトコルによって指定された方式を通じて、通信当事者は、ＴＸＯＰ省電力無し指示が否定であること、即ち、省電力がデフォルト設定によって現在ＴＸＯＰで許可されていることを前もって規定しているので、シグナリング・オーバーヘッドが節約され、ＳＴＡ装置が現在フレームのＴＸＯＰ省電力無し指示が肯定であるか又は否定であるかを判断することは省かれてもよく、それによって、省電力方法の判断効率を更に高め、省電力効果を高める。
【０１２７】
本発明の実施形態８及び本発明の実施形態９において、局ＳＴＡの識別子が後で新たに追加されないという指示及びＴＸＯＰ省電力無し指示は、それぞれ後続のＳＴＡ指示及びＴＸＯＰ省電力指示の単なる具体的な実施方式であり、この分野における技術者は、従来技術に従って、局ＳＴＡの識別子が後で新たに追加されるという指示が後続のＳＴＡ指示を表すために採用されてもよいことを理解し得て、局ＳＴＡの識別子が後で新たに追加されるという指示が肯定であるとき、これは、局ＳＴＡの識別子が後で新たに追加されることを指示し、局ＳＴＡの識別子が後で新たに追加されるという指示が否定であるとき、これは、局ＳＴＡの識別子が後で新たに追加されないことを指示する。同じ理由によって、許可ＴＸＯＰ省電力指示は、ＴＸＯＰ省電力指示を表すために採用されてもよく、許可ＴＸＯＰ省電力指示が肯定であるとき、これは、省電力が現在ＴＸＯＰで許可されていることを指示し、許可ＴＸＯＰ省電力指示が否定であるとき、これは、省電力が現在ＴＸＯＰで禁止されていることを指示する。
【０１２８】
図１０は、本発明の実施形態１０による省電力方法のフローチャートである。本発明の実施形態１０では、後続のＳＴＡ指示は、局ＳＴＡの識別子が後で新たに追加されないという指示であり、ＴＸＯＰ省電力指示は許可ＴＸＯＰ省電力指示である。更に、本発明の実施形態１０では、ビットが局ＳＴＡの識別子が後で新たに追加されないという指示及び許可ＴＸＯＰ省電力指示を同時に指示するため採用され、それによって、ビットを節約し、シグナリング・オーバーヘッドを節約する。図１０に示されるように、この方法は以下の手順を含む。
【０１２９】
ステップ１００１：ＡＰ装置は、局ＳＴＡの識別子が後で新たに追加されないという指示と、許可ＴＸＯＰ省電力指示と、オペレーション・オブジェクト識別子とを現在ＴＸＯＰの各フレームでＳＴＡ装置に送信する。
【０１３０】
このステップでは、ＡＰ装置がオペレーション・オブジェクト識別子をＳＴＡ装置に送信する具体的な方法は、本発明の実施形態８のステップ８０１で記録された方法と同じである。しかし、ＡＰ装置は、同じビットを採用することにより、局ＳＴＡの識別子が後で新たに追加されないという指示と許可ＴＸＯＰ省電力指示とをＳＴＡ装置に送信する。具体的には、局ＳＴＡの識別子が後で新たに追加されないという指示と許可ＴＸＯＰ省電力指示とは、合計で１ビットを含み、局ＳＴＡの識別子が後で新たに追加されず、省電力が現在ＴＸＯＰで許可されているとき、このビットは肯定であり、一般に値１で表され、その他の場合はいずれも、ビットは否定であり、一般に値０で表され、例えば、局ＳＴＡの識別子が後で新たに追加されるとき、省電力が現在ＴＸＯＰで許可されているか否かを問わずに、ビットは否定であり、又は、省電力が現在ＴＸＯＰで禁止されているとき、局ＳＴＡの識別子が後で新たに追加されるか否かを問わずに、ビットは否定である。
【０１３１】
ステップ１００２：ＳＴＡ装置は、現在ＴＸＯＰの局ＳＴＡの識別子が後で新たに追加されないという指示及び許可ＴＸＯＰ省電力指示を含む現在フレームと、オペレーション・オブジェクト識別子を含むプリセット・フレームとをそれぞれ取得する。
【０１３２】
ステップ１００３：ＳＴＡ装置は、現在フレームの許可ＴＸＯＰ省電力指示が肯定であること、及び、局ＳＴＡの識別子が後で新たに追加されないという指示が肯定であることが満たされるか否かを判断し、肯定である場合、ステップ１００４が実行され、否定である場合、ＳＴＡ装置はＡｗａｋｅ状態を維持する。
【０１３３】
このステップでは、ＳＴＡ装置は、局ＳＴＡの識別子が後で新たに追加されないという指示と許可ＴＸＯＰ省電力指示とを同時に指示するために使用された前述の１ビットが肯定であるか又は否定であるかを判断し、このビットが肯定である場合、これは、現在フレームの許可ＴＸＯＰ省電力指示が肯定であることと、局ＳＴＡの識別子が後で新たに追加されないという指示が肯定であることとが同時に満たされることを指示し、省電力が実行されてもよく、手順は引き続き以下のステップ１００４を実行し、このビットが否定である場合、これは、条件のうちの１つが満たされないこと、又は、いずれの条件も満たされないことを指示し、ＳＴＡ装置はＡｗａｋｅ状態を維持する。
【０１３４】
ステップ１００４：ＳＴＡ装置は、第２のドーズ条件が満たされるか否かを判断し、肯定である場合、ＳＴＡ装置はＤｏｚｅ状態に入り、否定である場合、ＳＴＡ装置はＡｗａｋｅ状態を維持する。
【０１３５】
このステップでは、第２のドーズ条件は、従来技術における２つのドーズ条件を含んでもよく、即ち、既存の通信プロトコルにおけるドーズ条件を修正する必要がなく、それによって、既存の通信装置をより簡便にアップグレードし、再構成する。
【０１３６】
具体的には、ＭＵ−ＭＩＭＯモードでは、第２のドーズ条件は、以下の３つの条件のうちのいずれか１つ又はいずれかの組み合わせを含んでもよく、条件のうちの１つが満たされるとき、即ち、第２のドーズ条件が満たされると判断すると、ＳＴＡ装置はＤｏｚｅ状態に入り、第２のドーズ条件によって含まれる１つ以上の条件全てが満たされないとき、第２のドーズ条件は満たされないと判断し、ＳＴＡ装置はＡｗａｋｅ状態を維持する。これらの３つの条件は、具体的には以下の内容を含んでもよい。条件１：プリセット・フレームのオペレーション・オブジェクト識別子がこのＳＴＡ装置に対する指示を含んでいないとき、ＳＴＡ装置はＤｏｚｅ状態に入る。条件２：プリセット・フレームのオペレーション・オブジェクト識別子がこのＳＴＡ装置に対する指示を含み、このＳＴＡに対応する空間多重化ストリーム数の指示が０であるとき、ＳＴＡ装置はＤｏｚｅ状態に入る。条件３：プリセット・フレームのオペレーション・オブジェクト識別子がこのＳＴＡ装置に対する指示を含み、このＳＴＡがデータビット指示が０であるより多くのデータフレームを受信するとき、ＳＴＡ装置はＤｏｚｅ状態に入る。
【０１３７】
このステップでは、ＳＵ−ＭＩＭＯモードにおいて、第２のドーズ条件は、以下の３つの条件のうちのいずれか１つ又はいずれかの組み合わせを含んでもよく、条件のうちの１つが満たされるとき、即ち、第２のドーズ条件が満たされると判断すると、ＳＴＡ装置はＤｏｚｅ状態に入り、第２のドーズ条件によって含まれる１つ以上の条件全てが満たされないとき、第２のドーズ条件が満たされないと判断し、ＳＴＡ装置はＡｗａｋｅ状態を維持する。これらの３つの条件は、具体的には以下の内容を含んでもよい。条件１：プリセット・フレームのオペレーション・オブジェクト識別子で指示された部分ＡＩＤがこのＳＴＡ装置の部分ＡＩＤとは異なるとき、ＳＴＡ装置はＤｏｚｅ状態に入る。条件２：プリセット・フレームのオペレーション・オブジェクト識別子で指示された部分ＡＩＤがこのＳＴＡ装置の部分ＡＩＤと同じであるが、現在フレームがこのＳＴＡに送信されないとき、ＳＴＡ装置はＤｏｚｅ状態に入る。具体的には、ＳＴＡ装置は、現在フレームが複数の方式でこのＳＴＡ装置に送信されたか否かを判断してもよく、ここで、具体的な実施方式は、ＳＴＡ装置が現在フレームのＭＡＣ識別子がこのＳＴＡ装置のＭＡＣ識別子に適合するか否かを判断し、肯定である場合、現在フレームはこのＳＴＡ装置に送信され、否定である場合、現在フレームはこのＳＴＡ装置に送信されない、というものである。条件３：プリセット・フレームのオペレーション・オブジェクト識別子がこのＳＴＡ装置に対する指示を含み、このＳＴＡがデータビット指示が０であるより多くのデータフレームを受信するとき、ＳＴＡ装置はＤｏｚｅ状態に入る。
【０１３８】
ステップ１００４が実行されるとき、典型的な実施方式の判断プロセスは以下の通りである。
【０１３９】
第１ステップ：ＳＴＡ装置は、プリセット・フレームのオペレーション・オブジェクト識別子がこのＳＴＡ装置に対する指示を含んでいるか否かを判断し、肯定である場合、第２ステップが実行され、否定である場合、ＳＴＡ装置はＤｏｚｅ状態に入る。
【０１４０】
第２ステップ：ＭＵ−ＭＩＭＯモードにおいて、このＳＴＡに対応する空間多重化ストリーム数の指示が０であるか否か、又は、このＳＴＡがデータビット指示が０であるより多くのデータフレームを受信するか否かを判断し、肯定である場合、ＳＴＡ装置はＤｏｚｅ状態に入り、否定である場合、ＳＴＡ装置はＡｗａｋｅ状態を維持する。ＳＵ−ＭＩＭＯモードにおいて、現在フレームがこのＳＴＡ装置に送信されたか否かを判断し、又は、このＳＴＡがデータビット指示が０であるより多くのデータフレームを受信したか否かを判断し、現在フレームがこのＳＴＡ装置に送信されていない場合、又は、このＳＴＡ装置がデータビット指示が０であるより多くのデータフレームを受信する場合、ＳＴＡ装置はＤｏｚｅ状態に入り、現在フレームがこのＳＴＡ装置に送信され、且つ、このＳＴＡ装置がデータビット指示が１であるより多くのデータフレームを受信する場合、ＳＴＡ装置はＡｗａｋｅ状態を維持する。
【０１４１】
本発明の実施形態１０では、１ビットが後で新たに局ＳＴＡの識別子が追加されないという指示及び許可ＴＸＯＰ省電力指示を同時に指示するため採用され、それによって、１ビットのシグナリング・オーバーヘッドを更に節約する。
【０１４２】
本発明の実施形態７から本発明の実施形態１０における前述の技術的解決手段に基づいて、更に、省電力方法は、以下のステップ：ＳＴＡ装置が包含識別子を設定することを更に含む。包含識別子は、ＳＴＡ装置の識別子がプリセット・フレームのオペレーション・オブジェクト識別子に含まれているか否かを表すために使用され、包含識別子に初期的に０が設定される。具体的には、ＳＴＡ装置は、包含識別子として１ビットを採用してもよく、初期設定中に、このビットの値は０であり、フレームのオペレーション・オブジェクト識別子がＳＴＡ装置に対する識別子を含んでいる限り、ＳＴＡ装置の包含識別子に対応するビット値に１が設定され、後続フレームが受信された後、ビット値は依然として１に維持される。前述の３つの実施形態では、ＳＴＡ装置に対する包含識別子をそれぞれ設定するステップは、前述のステップ７０１、ステップ８０１、ステップ９０１及びステップ１００２より前に又は同時に実行されてもよい。ＳＴＡ装置がプリセット・フレームのオペレーション・オブジェクト識別子を取得した後、ＳＴＡ装置は、現在包含識別子が肯定であるか又は否定であるかを判断し、これが肯定である場合、包含識別子は肯定になるように維持され、否定である場合、現在フレームのオペレーション・オブジェクト識別子がこのＳＴＡ装置の識別子を含んでいるか否かが判断され、肯定である場合、包含識別子に肯定が設定され、そうではない場合、包含識別子は、否定であるように維持される。ステップ７０２、ステップ８０４、ステップ９０３及びステップ１００４では、プリセット・フレームのオペレーション・オブジェクト識別子がこのＳＴＡ装置の識別子を含んでいるか否かを判断する具体的な方法は、包含識別子が肯定であるか又は否定であるかを判断し、包含識別子が肯定である場合、これは、このＳＴＡ装置の識別子がプリセット・フレームのオペレーション・オブジェクト識別子に含まれていることを指示し、包含識別子が否定である場合、これは、このＳＴＡ装置の識別子がプリセット・フレームのオペレーション・オブジェクト識別子に含まれていないことを指示することを含む。プリセット・フレームのオペレーション・オブジェクト識別子がこのＳＴＡ装置の識別子を含んでいるか否かを判断することが簡単、簡便、且つ容易であるように、包含識別子を設定する方式が採用され、それによって、判断処理効率を高める。
【０１４３】
本発明の実施形態７から本発明の実施形態１０で記録された前述の技術的解決手段に基づいて、更に、省電力方法は、ＳＴＡ装置が現在ＴＸＯＰの持続時間情報を取得することを更に含む。前述の３つの実施形態では、ＳＴＡ装置が現在ＴＸＯＰの持続時間情報をそれぞれ取得するステップは、前述のステップ７０１、ステップ８０１、ステップ９０１及びステップ１００２より前に又はと同時に実行されてもよく、ＳＴＡ装置がＤｏｚｅ状態に入った後、且つ、現在ＴＸＯＰの持続時間が終了したとき、ＳＴＡ装置は、Ａｗａｋｅ状態に入り、それによって、次のＴＸＯＰが来たとき、ＳＴＡ装置がＡｗａｋｅ状態にあり、次のＴＸＯＰのフレームで搬送される対応する指示情報を巧く受信できることを保証する。
【０１４４】
図１１は、本発明の実施形態１１によるＳＴＡ装置の略構成図である。本実施形態における装置は、ＭＩＭＯワイヤレス通信におけるＳＴＡでもよい。アクセスポイントＡＰ装置がデータ又は情報をＳＴＡ装置に送信するとき、前述の方法実施形態における方法が適用される。実用的な適用では、ＭＩＭＯにおける通信ピアエンドは、ＡＰ及びＳＴＡでもよいので、異なる通信状況では、装置は、ＡＰ又はＳＴＡとしてそれぞれ使用される。図１１に示されるように、ＳＴＡ装置１１０は、取得モジュール１１１と制御モジュール１１２とを少なくとも含み、更に識別子モジュール１１３を含んでもよい。
【０１４５】
取得モジュール１１１は、現在ＴＸＯＰの後続ＳＴＡ指示及びＴＸＯＰ省電力指示を含む現在フレームと、オペレーション・オブジェクト識別子を含むプリセット・フレームとをそれぞれ取得するように構成され、取得モジュール１１１は、現在ＴＸＯＰの現在フレームの後続ＳＴＡ指示と、現在フレームのＴＸＯＰ省電力指示と、プリセット・フレームのオペレーション・オブジェクト識別子とを制御モジュール１１２に送信する。
【０１４６】
制御モジュール１１２は、取得モジュール１１１からの現在ＴＸＯＰの現在フレームの後続ＳＴＡ指示と、現在フレームのＴＸＯＰ省電力指示と、プリセット・フレームのオペレーション・オブジェクト識別子とに従って、ＳＴＡ装置を制御し、現在フレームのＴＸＯＰ省電力指示が許可されているとき、Ｄｏｚｅ状態に入るようにＳＴＡ装置を制御するように構成され、プリセット・フレームのオペレーション・オブジェクト識別子はこのＳＴＡ装置に対する指示を含んでおらず、現在フレームの後続ＳＴＡ指示は、局ＳＴＡの識別子が後で新たに追加されないというものである。
【０１４７】
前述の技術的解決手段に基づいて、制御モジュール１１２は、現在フレームのＴＸＯＰ省電力指示が許可されているときにＡｗａｋｅ状態を維持するようにＳＴＡ装置を制御するように更に構成され、プリセット・フレームのオペレーション・オブジェクト識別子は、このＳＴＡ装置に対する指示を含んでおらず、現在フレームの後続ＳＴＡ指示は、局ＳＴＡの識別子が後で新たに追加されるというものである。
【０１４８】
前述の技術的解決手段に基づいて、具体的には、取得モジュール１１１は、具体的には、後続ＳＴＡ指示及びＴＸＯＰ省電力指示を取得するために、以下の３つの方式のうちのいずれか１つを採用してもよい。第１の方式では、取得モジュール１１１は、後続ＳＴＡ指示を表す１ビットの情報と、ＴＸＯＰ省電力指示を表す１ビットの情報とを取得するように構成されている。又は、第２の方式では、取得モジュール１１１は、通信標準に従って、後続ＳＴＡを表す１ビットの情報を取得し、ＴＸＯＰ省電力指示が許可されていることを取得するように構成されている。又は、第３の方式では、取得モジュール１１１は、後続ＳＴＡ指示及びＴＸＯＰ省電力指示を表す１ビットの情報を取得するように構成され、後続ＳＴＡ指示が局ＳＴＡの識別子が後で新たに追加されないというものであり、且つ、ＴＸＯＰ省電力指示が許可されているとき、このビットは肯定であり、後続ＳＴＡ指示が局ＳＴＡの識別子が後で新たに追加されるというものであるか、又は、ＴＸＯＰ省電力指示が禁止されているとき、このビットは否定である。
【０１４９】
前述の技術的解決手段に基づいて、具体的には、取得モジュール１１１は、具体的には、オペレーション・オブジェクト識別子を取得するために、以下の３つの方式のうちのいずれか１つを採用してもよい。第１の方式では、取得モジュール１１１は、現在ＴＸＯＰの現在フレームのオペレーション・オブジェクト識別子を取得するように構成されている。又は、第２の方式では、取得モジュール１１１は、現在ＴＸＯＰの最初のフレームから現在フレームまでの１つ以上のフレームのオペレーション・オブジェクト識別子を取得するように構成されている。
【０１５０】
前述の技術的解決手段に基づいて、ＳＴＡ装置は、識別子モジュール１１３を更に含んでもよい。識別子モジュール１１３は、ＳＴＡ装置の包含識別子を格納し更新するように構成されている。具体的には、取得モジュール１１１は、現在ＴＸＯＰのプリセット・フレームのオペレーション・オブジェクト識別子を取得し、オペレーション・オブジェクト識別子を識別子モジュール１１３に送信し、識別子モジュール１１３は、現在包含識別子が肯定であるか又は否定であるかを判断するように構成され、現在包含識別子が肯定である場合、包含識別子は、肯定であることが維持され、これが否定である場合、現在フレームのオペレーション・オブジェクト識別子がこのＳＴＡ装置の識別子を含んでいるか否かが判断され、肯定である場合、包含識別子に肯定が設定され、そうではない場合、包含識別子は、否定であることが維持される。相応して、制御モジュール１１２は、識別子モジュール１１３に格納された包含識別子が肯定であるか又は否定であるかを判断するように構成され、包含識別子が肯定である場合、プリセット・フレームのオペレーション・オブジェクト識別子がこのＳＴＡ装置に対する指示を含んでいると決定し、包含識別子が否定である場合、プリセット・フレームのオペレーション・オブジェクト識別子がこのＳＴＡ装置に対する指示を含んでいないことに決定する。
【０１５１】
前述の技術的解決手段に基づいて、取得モジュール１１１は、現在ＴＸＯＰの持続時間情報を取得し、持続時間情報を制御モジュール１１２に送信するように更に構成されている。相応して、制御モジュール１１２は、取得モジュール１１１からの現在ＴＸＯＰの持続時間情報に従って、ＳＴＡ装置を制御するように更に構成され、特に、現在ＴＸＯＰの持続時間が終了したとき、制御モジュール１１２は、Ａｗａｋｅ状態に入るようにＳＴＡ装置を制御する。
【０１５２】
本発明の実施形態１１のＳＴＡ装置の前述のモジュールの具体的な作動方式は、本発明の実施形態７から本発明の実施形態１０で記録された省電力方法を採用することにより実行されてもよく、本発明の実施形態１１で詳述されていない技術的解決手段は、本発明の実施形態７から本発明の実施形態１０に記録された事項に関連して実施されてもよい。
【０１５３】
本発明の実施形態１１では、ＳＴＡ装置は、後続ＳＴＡ指示を取得し、ＴＸＯＰ省電力指示が許可され、後続ＳＴＡ指示が局ＳＴＡの識別子が後で新たに追加されないというものであり、プリセット・フレームのオペレーション・オブジェクト識別子はこのＳＴＡ装置の識別子を含んでいないときＤｏｚｅ状態に入るようにＳＴＡ装置を制御する。その結果、省電力方法が採用された場合、ＴＸＯＰの最初のフレーム内のオペレーション・オブジェクト識別子は、ＴＸＯＰに関係する全てのＳＴＡ装置を含むことが必要とされず、それによって、省電力方法の適用範囲を拡大し、省電力効果を高める。
【０１５４】
方法実施形態に対し、説明の簡略化のため、方法実施形態は、一連の作用の組み合わせとして記載されるが、一部のステップは、本発明によれば、その他の順番で又は同時に実行され得るので、本発明は作用の順番によって制限されないことが当業者によって理解されるべきことに注意を要する。第２に、当業者は、本明細書に記載された実施形態はいずれも典型的な実施形態の範囲に入り、関係する作用及びモジュールは本発明により必ずしも要求されないことを更に理解すべきである。
【０１５５】
省電力方法は、前述の実施形態を統合することによりもたらされ、この方法は以下の手順を含む。
【０１５６】
Ｓ１１０：現在データフレームの省電力指示を設定し、ここで、この省電力指示は、現在データフレームを受信するＳＴＡが省電力状態に入ることを許可可能であることを指示するために使用される。
【０１５７】
Ｓ１１０２：現在データフレームを受信するＳＴＡがドーズ条件に対する判断結果に従ってＤｏｚｅ状態に入るべきか否かを決定するように、現在送信機会ＴＸＯＰで現在データフレームを送信し、現在データフレームより前に送信され、ＴＸＯＰで送信された少なくとも１つのデータフレームに含まれる省電力指示は、ＳＴＡが省電力の実行を禁止することを指示するために使用される。
【０１５８】
明らかに、ＳＴＡ装置は、Ｄｏｚｅ状態に入る機能を有するＳＴＡ装置である。
【０１５９】
電力指示を設定する具体的な方法は、以下のステップを含んでもよく、現在フレームの先行フレームの省電力指示が省電力許可を指示する場合、現在フレームの省電力指示に省電力許可が直接的に設定され、又は、現在フレームの先行フレームの省電力指示が省電力禁止である場合、現在ＴＸＯＰが省電力を許可するか否かに従って現在フレームの省電力指示に省電力許可を設定するか否かが判断され、省電力許可が満たされる場合、現在フレームの省電力指示に省電力許可が設定される。
【０１６０】
更に、現在ＴＸＯＰが省電力を許可するか否かに従って現在フレームの省電力指示に省電力許可が設定されるか否かを判断し、省電力が許可される場合、現在フレームの省電力指示に省電力許可を設定することは以下のステップを含む。
【０１６１】
省電力がＴＸＯＰで許可されているか否か、及び、新たに追加される局ＳＴＡの識別子が現在データフレームの後続フレームのオペレーション・オブジェクト識別子に有るか否かに従って、現在フレームの省電力指示に省電力許可を設定するか否かが判断され、省電力がＴＸＯＰで許可され、且つ、新たに追加される局ＳＴＡの識別子が現在データフレームの後続フレームのオペレーション・オブジェクト識別子にない場合、現在フレームの省電力指示に省電力許可が設定される。
【０１６２】
実施として、現在データフレームより前に送信され、ＴＸＯＰで送信された少なくとも１つのデータフレーム内の省電力指示が１である場合、ＳＴＡが省電力の実行を禁止されていることが指示され、現在フレームの省電力指示が０である場合、データフレームを受信するＳＴＡが省電力状態に入ることが許可可能であることが指示される。
【０１６３】
現在送信機会ＴＸＯＰで送信された現在データフレームより前の全てのデータフレームにおける省電力指示は、ＳＴＡが省電力の実行を禁止されることを指示し、現在ＴＸＯＰで送信された現在データフレームの全ての後続データフレームにおける省電力指示は、ＳＴＡが省電力状態に入ることを許可可能であることを指示する。
【０１６４】
上記実施形態では、実施形態についての説明は、重点の置き方が異なる。一部の実施形態で詳細に記載されていない部分については、その他の実施形態における関連する説明が参照されてもよい。
【０１６５】
当業者は、実施形態による方法のステップの全部又は一部が関連するハードウェアに指令するプログラムにより実施されてもよいことを理解し得る。プログラムは、コンピュータ読み取り可能な記憶媒体に格納されてもよい。プログラムが実行されるとき、実施形態による方法のステップが実行される。記憶媒体は、リード・オンリー・メモリ（ＲＯＭ）、ランダム・アクセス・メモリ（ＲＡＭ）、磁気ディスク、又は光ディスクのようなプログラムコードを格納可能などのような媒体でもよい。
【０１６６】
アクセスポイント装置が更に与えられ、このアクセス装置は、Ｄｏｚｅ状態に入る機能を有し、
【０１６７】
現在データフレームを受信するＳＴＡが省電力状態に入ることを許可可能であることを指示するために使用される現在データフレームの省電力指示を設定するように構成されている設定ユニットと、
【０１６８】
現在データフレームを受信するＳＴＡがドーズ条件に対する判断結果に従ってＤｏｚｅ状態に入るべきか否かを決定するように、現在送信機会ＴＸＯＰで現在データフレームを送信するように構成されている送信ユニットと、
を含み、
【０１６９】
設定ユニットは、現在データフレームより前に送信され、ＴＸＯＰで送信された少なくとも１つのデータフレームに含まれる省電力指示が省電力禁止を指示するために使用されるように現在フレームを設定する。
【０１７０】
この装置は、前述のステップＳ１１０１からＳ１１０２の方法プロセスを完了してもよく、ステップＳ１１０１からＳ１１０２の機能を実行してもよい。
【０１７１】
例えば、設定ユニットは、現在データフレームの省電力指示を設定するとき、現在フレームの先行フレームの省電力指示が省電力許可を指示する場合、現在フレームの省電力指示に省電力許可を直接的に設定し、又は、
【０１７２】
現在フレームの先行フレームの省電力指示が省電力禁止である場合、現在ＴＸＯＰが省電力を許可するか否かに従って、現在フレームの省電力指示に省電力許可が設定されるか否かを判断し、現在ＴＸＯＰが省電力を許可する場合、現在フレームの省電力指示に省電力許可を設定する。
【０１７３】
更に、設定ユニットは、ＳＴＡが省電力の実行を禁止されていることを指示するために省電力指示に１を設定し、データフレームを受信するＳＴＡが省電力を許可することを指示するために省電力指示に０を設定するように構成されている。
【０１７４】
ＳＵ−ＭＩＭＯモードにおいて、オペレーション・オブジェクト識別子は、フレームに対応するＳＴＡのアソシエーション識別子群のうちのアソシエーション識別子（ａｓｓｏｃｉａｔｉｏｎ  ｉｄｅｎｔｉｆｉｅｒ、略称：ＡＩＤ）であり、フレームに対応するＳＴＡに関連付けられた如何なる識別子でもよく、これがＳＴＡのアソシエーション識別子である場合、このＳＴＡだけが指示され、例えば、ＳＴＡのアソシエーション識別子は、このＳＴＡのＭＡＣ（Ｍｅｄｉｕｍ  Ａｃｃｅｓｓ  Ｃｏｎｔｒｏｌ）識別子（ｉｄｅｎｔｉｆｉｅｒ）でもよく、ＭＡＣ識別子は、一般に、ＭＡＣアドレス（ａｄｄｒｅｓｓ）と称される。
【０１７５】
同様に、ＭＵ−ＭＩＭＯモードにおいて、オペレーション・オブジェクト識別子は、前述の通りＧｒｏｕｐ  ＩＤでもよいが、Ｇｒｏｕｐ  ＩＤを採用する実施に限定されることはなく、数台のＳＴＡを指示するいずれか１つ又は複数の識別子でもよく、例えば、ＭＵ−ＭＩＭＯモードにおいて、オペレーション・オブジェクト識別子は、数台のＳＴＡにそれぞれ対応するいくつかのＭＡＣアドレスを使用することにより更に実施されてもよく、即ち、オペレーション・オブジェクト識別子は、数台のＳＴＡにそれぞれ対応するいくつかのＭＡＣアドレスでもよい。
【０１７６】
本発明の実施形態１から本発明の実施形態４では、ＴＸＯＰ省電力指示を設定するとき、ＡＰは、ＴＸＯＰ省電力指示の値が変更される回数、及び／又は、ＴＸＯＰ省電力指示の値の変更形式を更に制限してもよい。
【０１７７】
実施形態１２が提供される。
【０１７８】
ステップ１２０１：ＡＰ装置は、現在ＴＸＯＰの１つ以上のフレームをＳＴＡ装置に送信する。各フレームは、フレームのオペレーション・オブジェクト識別子及びフレームのＴＸＯＰ省電力無し指示を含み、各フレームのＴＸＯＰ省電力無し指示は、新たに追加される局ＳＴＡの識別子が現在ＴＸＯＰの各フレームの後続フレームのオペレーション・オブジェクト識別子に有るか否かに従ってＡＰによって設定される。ＴＸＯＰ省電力無し指示は１回に限り変化することが許可され、ＴＸＯＰ省電力指示は、省電力禁止指示から省電力許可指示に変化することだけが許可されるので、ＴＸＯＰ省電力無し指示が１回変化し、且つ、ＴＸＯＰ省電力無し指示がＫ番目のフレームで変化すると仮定するとき、実施方式は、最初のフレーム及びＫ−１番目のフレームを含む現在ＴＸＯＰの最初のフレームとＫ−１番目のフレームとの間の全てのフレームにおいて、即ち、ＴＸＯＰ省電力無し指示が変化するフレーム（即ち、Ｋ番目のフレーム）より前の現在ＴＸＯＰの全てのフレームにおいて、ＡＰ装置は、ＴＸＯＰ省電力無し指示の値に省電力禁止指示、即ち、１を設定し、Ｋ番目のフレームと最後のフレームとを含む現在ＴＸＯＰのＫ番目のフレームと最後のフレームとの間の全てのフレームにおいて、即ち、ＴＸＯＰ省電力無し指示が変化するフレーム（即ち、Ｋ番目のフレーム）及びこのフレーム（即ち、Ｋ番目のフレーム）より後の現在ＴＸＯＰの全てのフレームにおいて、ＡＰ装置は、ＴＸＯＰ省電力無し指示の値に省電力許可指示、即ち、０を設定する、というものである。
【０１７９】
ステップ１２０２：ＳＴＡ装置は、フレームのＴＸＯＰ省電力無し指示及びフレームのオペレーション・オブジェクト識別子を含む現在ＴＸＯＰの現在フレームを取得する。
【０１８０】
ステップ１２０３：ＳＴＡ装置は、現在フレームのＴＸＯＰ省電力無し指示が肯定であるか又は否定であるかを判断し、否定である場合、ステップ１２０４が実行され、肯定である場合、ＳＴＡ装置は、Ａｗａｋｅ状態を維持し、ＳＴＡ装置は、新しい現在フレームとして次のフレームを使用し、ステップ１２０２に戻る。
【０１８１】
ステップ１２０４：現在ＴＸＯＰの現在フレームから最後のフレームまでの各フレームにおいて、ＳＴＡ装置は、第１のドーズ条件が満たされるか否かを判断し、肯定である場合、ＳＴＡ装置はＤｏｚｅ状態に入り、否定である場合、ＳＴＡ装置はＡｗａｋｅ状態を維持する。このステップでは、既存の通信プロトコルにおけるドーズ条件が第１のドーズ条件に従って修正されることが必要とされず、それによって、既存の通信装置をより簡便にアップグレードし、再構築する。
【０１８２】
実施形態４に記載されたように、ＭＵ−ＭＩＭＯモードにおいて、第２のドーズ条件は、２つの条件のうちの一方又は両方の組み合わせを含んでもよく、ＳＵ−ＭＩＭＯモードにおいて、第２のドーズ条件は、２つの条件のうちの一方又は両方の組み合わせを含んでもよい。実施形態４の実施１の実施は、ＭＵ−ＭＩＭＯモードでは、第２のドーズ条件が２つの条件のうちの最後の１つを含み、ＳＵ−ＭＩＭＯモードでは、第２のドーズ条件が２つの条件のうちの最後の１つを含み、即ち、ＭＵ−ＭＩＭＯモード及びＳＵ−ＭＩＭＯモードでは、第２のドーズ条件は、現在フレームのオペレーション・オブジェクト識別子がこのＳＴＡ装置に対する指示を含み、このＳＴＡがデータビット指示が０であるより多くのデータフレームを受信することであるというものでもよく、即ち、第２のドーズ条件は、このＳＴＡ装置がこのＳＴＡ装置に送信された、データビット指示が０であるより多くのデータフレームを受信し、対応するＡＣＫを用いてデータフレームに応答することである。実施形態４の実施２の実施は、ＭＵ−ＭＩＭＯモードでは、第２のドーズ条件が２つの条件を含み、ＳＵ−ＭＩＭＯモードでは、第２のドーズ条件が２つの条件のうちの最後の１つを含むというものでもよく、即ち、前述の実施形態４の実施１で採用された第２のドーズ条件において、ＭＵ−ＭＩＭＯモードにおける第１の条件が追加され、それ故に、ＭＵ−ＭＩＭＯモード及びＳＵ−ＭＩＭＯモードにおける第２のドーズ条件は、以下の条件１及び条件２が包含されることを包括的に表してもよい。
【０１８３】
条件１：現在フレームのグループ識別情報（即ち、Ｇｒｏｕｐ  ＩＤ）がこのＳＴＡ装置に対する指示を含み、このＳＴＡに対応する空間多重化ストリーム数の指示が０である。
【０１８４】
条件２：現在フレームのオペレーション・オブジェクト識別子がこのＳＴＡ装置に対する指示を含み、このＳＴＡがデータビット指示が０であるより多くのデータフレームを受信し、即ち、このＳＴＡ装置が、このＳＴＡ装置に送信された、データビット指示が０であるより多くのデータフレームを受信し、対応するＡＣＫを用いてデータフレームに応答する。
【０１８５】
前述の実施形態１２の省電力方法のより詳細な実施方法は以下の通りであり、実施形態１３として記録される。
【０１８６】
ステップ１３０１：ＡＰ装置は、現在ＴＸＯＰの１つ以上のフレームをＳＴＡ装置に送信する。各フレームは、フレームのオペレーション・オブジェクト識別子と、フレームのＴＸＯＰ省電力無し指示とを含み、各フレームのＴＸＯＰ省電力無し指示は、新たに追加される局ＳＴＡの識別子が現在ＴＸＯＰの各フレームの後続フレームのオペレーション・オブジェクト識別子に有るか否かに従ってＡＰによって設定される。ＴＸＯＰ省電力無し指示が１回変化し、ＴＸＯＰ省電力無し指示がＫ番目のフレームで変化すると仮定するとき、実施方式は、最初のフレームとＫ−１番目のフレームとを含む現在ＴＸＯＰの最初のフレームとＫ−１番目のフレームとの間の全てのフレームにおいて、即ち、ＴＸＯＰ省電力無し指示が変化するフレーム（即ち、Ｋ番目のフレーム）より前の現在ＴＸＯＰの全てのフレームにおいて、ＡＰ装置は、ＴＸＯＰ省電力無し指示の値に省電力禁止指示、即ち、１を設定し、Ｋ番目のフレームと最後のフレームとを含む現在ＴＸＯＰのＫ番目のフレームと最後のフレームとの間の全てのフレームにおいて、即ち、ＴＸＯＰ省電力無し指示が変化するフレーム（即ち、Ｋ番目のフレーム）及びこのフレーム（即ち、Ｋ番目のフレーム）より後の現在ＴＸＯＰの全てのフレームにおいて、ＡＰ装置は、ＴＸＯＰ省電力無し指示の値に省電力許可指示、即ち、０を設定する、というものである。
【０１８７】
同じＴＸＯＰにおいて、各フレームのＴＸＯＰ省電力指示は、省電力が現在ＴＸＯＰで許可されているか否か、及び、Ｄｏｚｅ状態に入る機能を有するＳＴＡがこのフレームの後続のフレームのオペレーション・オブジェクト識別子に新たに追加されるか否かに応じて、ＡＰによって設定される。具体的には、ＡＰは、Ｄｏｚｅ状態に入る機能を有するＳＴＡが現在ＴＸＯＰの各フレームの後続フレームのオペレーション・オブジェクト識別子に新たに追加されるかどうかを判断するために前述の第２の方法を採用してもよく、即ち、現在フレームのオペレーション・オブジェクト識別子がＤｏｚｅ状態に入る機能を有し、現在ＴＸＯＰ内の現在フレームより後の全てのフレームでデータを転送するために必要とされるＳＴＡ装置を指示するか否かが判断され、肯定である場合、これは、データが現在フレームの後続フレーム各々で新しいＳＴＡ装置に転送されないことを指示し、局ＳＴＡの識別子が後で新たに追加されないという条件が現在フレームで満たされ、そうではない場合、局ＳＴＡの識別子が後で新たに追加されないという条件が現在フレームで満たされない。局ＳＴＡの識別子が後で新たに追加されないという前述の条件が現在フレームで満たされること、即ち、現在ＴＸＯＰにおいて、現在フレームの後続フレーム各々で、ＡＰがデータを転送し、Ｄｏｚｅ状態に入る機能を有するＳＴＡ装置が現在フレームのオペレーション・オブジェクト識別子によって指示された数台のＳＴＡ装置のうちの１台でもよいことは、容易に理解され得る。
【０１８８】
本実施形態では、ＴＸＯＰ省電力指示を設定する方法は、以下の通り包括的に記載され、現在フレームの先行フレームのＴＸＯＰ省電力指示に省電力許可が設定される場合、現在フレームのＴＸＯＰ省電力指示に省電力許可が設定されてもよく、現在フレームの先行フレームのＴＸＯＰ省電力指示に省電力禁止が設定される場合、現在フレームのＴＸＯＰ省電力指示に省電力許可又は省電力禁止が設定されてもよい。現在フレームのＴＸＯＰ省電力指示に省電力許可又は省電力禁止が設定され得るとき、省電力が現在ＴＸＯＰで許可されること、及び、ＳＴＡが後で新たに追加されないことが両方共に満たされるときに限り、現在ＴＸＯＰの現在フレームのＴＸＯＰ省電力指示に省電力許可が設定されてもよい。省電力が現在ＴＸＯＰで許可されていない場合、現在ＴＸＯＰの現在フレームのＴＸＯＰ省電力指示に省電力禁止が設定されてもよい。
【０１８９】
ステップ１３０２：ＳＴＡ装置は、フレームのＴＸＯＰ省電力無し指示及びフレームのオペレーション・オブジェクト識別子を含む現在ＴＸＯＰの現在フレームを取得する。
【０１９０】
ステップ１３０３：ＳＴＡ装置は、現在フレームのＴＸＯＰ省電力無し指示が肯定であるか又は否定であるかを判断し、これが否定である場合、ステップ１３０４が実行され、これが肯定である場合、ＳＴＡ装置はＡｗａｋｅ状態を維持し、対応して、ドーズ条件が満たされるか否かを判断することが必要とされることはなく、ＳＴＡ装置は、新しい現在フレームとして次のフレームを使用し、ステップ１３０２に戻る。
【０１９１】
ステップ１３０４：現在ＴＸＯＰの現在フレームから最後のフレームまでの各フレームにおいて、即ち、現在ＴＸＯＰ内のＴＸＯＰ省電力無し指示が否定であるフレームにおいて、ＳＴＡ装置は、第３のドーズ条件が満たされるか否かを判断し、肯定である場合、ＳＴＡ装置はＤｏｚｅ状態に入り得て、否定である場合、ＳＴＡ装置はＡｗａｋｅ状態を維持する。ＴＸＯＰ省電力無し指示の値が省電力禁止指示である各フレームで数台のＳＴＡ装置自体に送信されたデータフレームを１回受信する数台のＳＴＡ装置は、第３のドーズ条件が満たされるか否かを判断し、肯定である場合、ＳＴＡ装置はＤｏｚｅ状態に入り、否定である場合、ＳＴＡ装置はＡｗａｋｅ状態を維持する。第３のドーズ条件が以下の４つの条件のうちのいずれか１つ又はいずれかの組み合わせを含んでもよく、条件のうちの１つが満たされるとき、即ち、第３のドーズ条件が満たされることを判断すると、ＳＴＡ装置はＤｏｚｅ状態に入り得て、第３のドーズ条件によって含まれる１つ以上の条件全てが満たされないとき、第３のドーズ条件が満たされないと判断し、ＳＴＡ装置はＡｗａｋｅ状態を維持する。４つの条件は、具体的には、以下の内容を含んでもよい。
【０１９２】
条件１：現在フレームのグループ識別情報（即ち、Ｇｒｏｕｐ  ＩＤ）がこのＳＴＡ装置に対する指示を含んでいない。
【０１９３】
条件２：現在フレームのオペレーション・オブジェクト識別子で指示された部分ＡＩＤがこのＳＴＡ装置の部分ＡＩＤとは異なるか、又は、現在フレームがこのＳＴＡに送信されない。
【０１９４】
条件３：現在フレームのグループ識別情報（即ち、Ｇｒｏｕｐ  ＩＤ）がこのＳＴＡ装置に対する指示を含み、このＳＴＡに対応する空間多重化ストリーム数の指示が０である。
【０１９５】
条件４：このＳＴＡ装置がこのＳＴＡ装置に送信された、データビット指示が０であるより多くのデータフレームを受信し、対応するＡＣＫを用いてデータフレームに応答する。
【０１９６】
前述の実施形態１３の省電力方法は、実施形態１４を得るために更に最適化されてもよい。
【０１９７】
ステップ１４０１：ＡＰ装置は、現在ＴＸＯＰの１つ以上のフレームをＳＴＡ装置に送信する。各フレームは、フレームのオペレーション・オブジェクト識別子及びフレームのＴＸＯＰ省電力無し指示を含み、各フレームのＴＸＯＰ省電力無し指示は、新たに追加される局ＳＴＡの識別子が現在ＴＸＯＰの各フレームの後続フレームのオペレーション・オブジェクト識別子に有るか否かに従ってＡＰによって設定される。ＴＸＯＰ省電力無し指示が１回変化し、ＴＸＯＰ省電力無し指示がＫ番目のフレームで変化すると仮定するとき、実施方式は、最初のフレームとＫ−１番目のフレームとを含む現在ＴＸＯＰの最初のフレームとＫ−１番目のフレームとの間の全てのフレームにおいて、即ち、ＴＸＯＰ省電力無し指示が変化するフレーム（即ち、Ｋ番目のフレーム）より前の現在ＴＸＯＰの全てのフレームにおいて、ＡＰ装置は、ＴＸＯＰ省電力無し指示の値に省電力禁止指示、即ち、１を設定し、Ｋ番目のフレームと最後のフレームとを含む現在ＴＸＯＰのＫ番目のフレームと最後のフレームとの間の全てのフレームにおいて、即ち、ＴＸＯＰ省電力無し指示が変化するフレーム（即ち、Ｋ番目のフレーム）及びこのフレーム（即ち、Ｋ番目のフレーム）より後の現在ＴＸＯＰの全てのフレームにおいて、ＡＰ装置は、ＴＸＯＰ省電力無し指示の値に省電力許可指示、即ち、０を設定する、というものである。
【０１９８】
同じＴＸＯＰにおいて、各フレームのＴＸＯＰ省電力指示は、省電力が現在ＴＸＯＰで許可されているか否か、前述の制限ｉ及びｉｉ、及び、Ｄｏｚｅ状態に入る機能を有するＳＴＡがこのフレームの後続のフレームのオペレーション・オブジェクト識別子に新たに追加されるか否かに応じて、ＡＰによって設定される。ＡＰが、Ｄｏｚｅ状態に入る機能を有するＳＴＡが現在ＴＸＯＰの各フレームの後続フレームのオペレーション・オブジェクト識別子に新たに追加されるか否かを判断するこの方法は、現在フレームのオペレーション・オブジェクト識別子により指示される数台のＳＴＡ装置、及び、ＡＰが現在フレームより前の各フレームでデータを１回転送する数台のＳＴＡ装置が、Ｄｏｚｅ状態に入る機能を有し、且つ、現在ＴＸＯＰ内の現在フレームより後の全てのフレームでデータを転送することが必要とされるＳＴＡ装置を含んでいるか否かを判断し、肯定である場合、これは、データが現在フレームの後続フレーム各々で新しいＳＴＡ装置に転送されないことを指示し、局ＳＴＡの識別子が後で新たに追加されないという条件が現在フレームで満たされ、そうではない場合、局ＳＴＡの識別子が後で新たに追加されないという条件が現在フレームで満たされないということを含む。局ＳＴＡの識別子が後で新たに追加されないという前述の条件が現在フレームで満たされ、即ち、現在ＴＸＯＰにおいて、現在フレームの後続フレーム各々で、Ｄｏｚｅ状態に入る機能を有し、且つ、ＡＰがデータを転送し得るＳＴＡ装置は、現在フレームのオペレーション・オブジェクト識別子により指示された数台のＳＴＡ装置のうちの１台でもよく、又は、ＡＰが現在フレームより前の各フレームでデータを１回転送する数台のＳＴＡ装置のうちのＳＴＡ装置であることが、容易に理解され得る。
【０１９９】
本実施形態では、ＴＸＯＰ省電力指示を設定する方法は、以下の通り包括的に記載され、前述の制限ｉ及びｉｉに従って、現在フレームの先行フレームのＴＸＯＰ省電力指示に省電力許可が設定された場合、現在フレームのＴＸＯＰ省電力指示に省電力許可が設定されてもよく、現在フレームの先行フレームのＴＸＯＰ省電力指示に省電力禁止が設定された場合、現在フレームのＴＸＯＰ省電力指示に省電力許可又は省電力禁止が設定されてもよい。前述の制限ｉ及びｉｉに従って、現在フレームのＴＸＯＰ省電力指示に省電力許可又は省電力禁止が設定され得るとき、省電力が現在ＴＸＯＰで許可されること、及び、ＳＴＡが後で新たに追加されないことが両方共に満たされるときに限り、現在ＴＸＯＰの現在フレームのＴＸＯＰ省電力指示に省電力許可が設定されてもよい。省電力が現在ＴＸＯＰで許可されていない場合、現在ＴＸＯＰの現在フレームのＴＸＯＰ省電力指示に省電力禁止が設定されてもよい。
【０２００】
ステップ１４０２：ＳＴＡ装置は、フレームのＴＸＯＰ省電力無し指示及びフレームのオペレーション・オブジェクト識別子を含む現在ＴＸＯＰの現在フレームを取得する。
【０２０１】
ステップ１４０３：ＳＴＡ装置は、現在フレームのＴＸＯＰ省電力無し指示が肯定であるか又は否定であるかを判断し、これが否定である場合、ステップ１４０４が実行され、これが肯定である場合、ＳＴＡ装置はＡｗａｋｅ状態を維持し、対応して、ドーズ条件が満たされるか否かを判断することが必要とされることはなく、ＳＴＡ装置は、新しい現在フレームとして次のフレームを使用し、ステップ１４０２に戻る。更に、ＳＴＡ装置は、以下のオペレーション：ＡＰが現在フレームでこれ自体にデータを転送するか否かを判断し、即ち、ＡＰが受信端のＭＡＣアドレス（又はＭＡＣ識別子と称され得る）とこのＳＴＡ装置のＭＡＣアドレスと同じであるデータフレームとを現在フレームでこのＳＴＡ装置に送信するか否かを判断し、肯定である場合、ＳＴＡ装置が、この状態を記録し、即ち、これ自体に送信されたデータフレームが、ＴＸＯＰ省電力無し指示の値が省電力禁止指示であるフレームで１回受信されるというこの状態を記録することを更に実行する。
【０２０２】
ステップ１４０４：現在ＴＸＯＰの現在フレームから最後のフレームまでの各フレームにおいて、即ち、現在ＴＸＯＰ内のＴＸＯＰ省電力無し指示が否定であるフレームにおいて、ＴＸＯＰ省電力無し指示の値が省電力禁止指示である各フレームで数台のＳＴＡ装置自体に送信されたデータフレームを１回受信する当該数台のＳＴＡ装置は、第４のドーズ条件が満たされるか否かを判断し、肯定である場合、ＳＴＡ装置はＤｏｚｅ状態に入り得て、否定である場合、ＳＴＡ装置はＡｗａｋｅ状態を維持する。しかし、ＴＸＯＰ省電力無し指示の値が省電力禁止指示である各フレームで数台のＳＴＡ装置自体に送信されたデータフレームを１回受信する当該数台のＳＴＡ装置に代わるその他のＳＴＡ装置、即ち、ＴＸＯＰ省電力無し指示の値が省電力禁止指示である各フレームでＳＴＡ装置自体に送信されたデータフレームを受信しないＳＴＡ装置は、第３のドーズ条件が満たされるか否かを判断し、肯定である場合、ＳＴＡ装置はＤｏｚｅ状態に入り、否定である場合、ＳＴＡ装置はＡｗａｋｅ状態を維持する。第４のドーズ条件、即ち、第３のドーズ条件によって含まれる４つの条件のうちの最後の１つは、このＳＴＡ装置がこのＳＴＡ装置に送信され、データビット指示が０であるより多くのデータフレームを受信し、対応するＡＣＫを用いてデータフレームに応答する、というものである。
【０２０３】
ステップ１４０４において、ＴＸＯＰ省電力無し指示が省電力禁止指示である各フレームで数台のＳＴＡ装置自体に送信されたデータフレームを１回受信する当該数台のＳＴＡ装置は、第４のドーズ条件を採用する。
【０２０４】
実施形態１４において、ステップ１４０４は、本発明の更に別の実施形態を得るためだけに変更されてもよく、即ち、ステップ１４０４における第４のドーズ条件は、第５のドーズ条件で置換され、即ち、ＴＸＯＰ省電力無し指示の値が省電力禁止指示である各フレームで数台のＳＴＡ装置自体に送信されたデータフレームを１回受信する当該数台のＳＴＡ装置は、第５のドーズ条件が満たされるか否かを判断し、肯定である場合、ＳＴＡ装置はＤｏｚｅ状態に入り、否定である場合、ＳＴＡ装置はＡｗａｋｅ状態を維持する。しかし、第５のドーズ条件は、以下の２つの条件のうちのいずれか１つ又はいずれかの組み合わせを含んでもよく、条件のうちの１つが満たされるとき、即ち、第５のドーズ条件が満たされると判断し、ＳＴＡ装置はＤｏｚｅ状態に入り得て、第５の条件によって含まれる１つ以上の条件全てが満たされないとき、第５の条件が満たされないと判断し、ＳＴＡ装置はＡｗａｋｅ状態を維持する。しかし、２つの条件、即ち、第３のドーズ条件によって含まれる４つの条件のうちの最後の２つの条件は、条件１：現在フレームのグループＩＤ（即ち、Ｇｒｏｕｐ  ＩＤ）がこのＳＴＡ装置に対する指示を含み、このＳＴＡに対応する空間多重化ストリーム数の指示が０である、及び、条件２：このＳＴＡ装置がこのＳＴＡ装置に送信されたデータビット指示が０であるより多くのデータフレームを受信し、対応するＡＣＫを用いてデータフレームに応答する、というものである。
【０２０５】
本出願書類の実施形態では、ＳＴＡ装置がドーズ条件に従ってこのＳＴＡ装置自体がＤｏｚｅ状態に入り得ると判断する場合、ＳＴＡ装置は、このＴＸＯＰが終了するまで、Ｄｏｚｅ状態を維持する。ＴＸＯＰが開始するとき、ＮＡＶ（ｎｅｔｗｏｒｋ  ａｌｌｏｃａｔｉｏｎ  ｖｅｃｔｏｒ；ネットワーク・アロケーション・ベクトル）が、ＡＰにより送信された少なくとも１つのフレームで搬送され、ＮＡＶが期間を指示し、この期間中に、ＴＸＯＰに亘って制御権限を有していない全てのＳＴＡは、データ伝送を積極的に開始することができず、そのため、ＮＡＶは、ＴＸＯＰ継続時間を設定し、実際には、ＴＸＯＰが開始するとき、ＡＰにより設定されたＴＸＯＰ継続時間は、ＴＸＯＰで変化してもよく、新しいＮＡＶを搬送し、且つ、ＡＰにより送信されたフレームを通じて実施されてもよく、新しいＮＡＶにより指示されるＴＸＯＰ終了時間は、既にＡＰによって送信されたＮＡＶにより送信されたＴＸＯＰ終了時間とは異なる。従来技術では、前述のフレームでＮＡＶを搬送することは、一般に、フレーム内のＭＡＣフレーム（ＭＡＣ  ｆｒａｍｅ）で持続時間フィールド（Ｄｕｒａｔｉｏｎ  ｆｉｅｌｄ）においてＮＡＶを搬送することを指す。
【０２０６】
本出願書類の実施形態では、以下のステップ１５０１は、ＳＴＡ装置がその他のユーザにより実行されている通信を妨害するよう、Ａｗａｋｅ状態に切り替えられた後にワイヤレスチャネルを占有することを避けるために、ＳＴＡ装置毎に追加されてもよい。
【０２０７】
ステップ１５０１：このＴＸＯＰの終わりまでＤｏｚｅ状態を維持する如何なるＳＴＡ装置も、Ｄｏｚｅ状態を終了してＡｗａｋｅ状態に切り替えられた後、伝送媒体を使用する（媒体にアクセスする）ことができず、即ち、以下の３つの条件のうちのいずれか１つ以上が満たされるまで、情報を送信するためにワイヤレスチャネルを占有することができない。条件１：ＳＴＡ装置がフレームを受信し、このフレームがこのフレーム自体のＮＡＶを設定する。
【０２０８】
条件２：ＳＴＡ装置がフレームにより含まれるＬ−ＳＩＧ  フィールド（即ち、レガシー信号フィールドと称され得るＮｏｎ−ＨＴ信号フィールド）を正しくデコードし、このフレームは、Ｌ−ＳＩＧ  ＴＸＯＰ保護メカニズム（即ち、Ｌ−ＳＩＧ  ＴＸＯＰ保護）をサポートする。条件３：ＣＣＡ（クリア・チャネル・アセスメント、即ち、チャネルが状態アセスメントを使用しない）を実行することにより、ＳＴＡ装置は、所定の期間Ｔ１５で、チャネル、即ち、伝送媒体がアイドル（ｉｄｌｅ）状態にあることを決定する。Ｔ１５は、期間の長さの値であり、例えば、０．５ミリ秒又は０．９ミリ秒でもよく、ＣＣＡは既存の技術であり、即ち、ＳＴＡ装置は、チャネルに受信された電力にアクセスし、電力が所定の値未満であるとき、チャネルはアイドル状態にあると考えられる。
【０２０９】
別の実施方式が前述のステップ１５０１の条件２に対して更に存在してもよく、ＳＴＡ装置は、フレームによって含まれるＬ−ＳＩＧフィールドを正しくデコードし、Ｌ−ＳＩＧ  ＴＸＯＰ保護メカニズムをこのフレームがサポートしないとき、且つ、Ｌ−ＳＩＧフィールドにより保護される期間が終了して、所定の期間Ｔ２が経過した後に限り、ＳＴＡ装置は伝送媒体を使用してもよく、しかしながら、Ｌ−ＳＩＧ  ＴＸＯＰ保護メカニズムをこのフレームがサポートしないとき、且つ、Ｌ−ＳＩＧフィールドにより保護された期間が終了した後、ＳＴＡ装置は伝送媒体を使用してもよい。ＳＴＡ装置が伝送媒体を使用してもよいことは、ＳＴＡ装置が伝送媒体を間違いなく使用することを意味するものではない。ＳＴＡ装置が伝送媒体を使用してもよいとき、一般に、ＳＴＡ装置は、伝送媒体の使用権限のために競合することが更に必要であり、競合を通じて伝送媒体の使用権限を獲得した後に限り、ＳＴＡ装置は伝送媒体を使用し、複数の実施方式が所定の期間Ｔ１５ｂの値に対して存在してもよく、例えば、Ｔ１５ｂは、ＡＣＫフレームの時間長さと２つのＳＩＦＳ（ｓｈｏｒｔ  ｉｎｔｅｒ−ｆｒａｍｅ  ｓｐａｃｅ、短フレーム間空間）の時間長さとの合計に等しいか、又は、ＡＣＫフレームの時間長さとＳＩＦＳの時間長さとＰＩＦＳ（Ｔｈｅ  ＰＣＦ  ｉｎｔｅｒ−ｆｒａｍｅ  ｓｐａｃｅ、ＰＣＦフレーム間空間）の時間長さとの合計に等しい。
【０２１０】
Ｄｏｚｅ状態を終了にして、Ａｗａｋｅ状態に切り替えられた後、このＴＸＯＰの終了までＤｏｚｅ状態を維持しているＳＴＡ装置がフレームを直ちに受信することが可能であり、フレームがこのフレーム自体のＮＡＶを設定する場合、ＳＴＡ装置は非常に素早く伝送媒体を使用してもよいことが前述のステップ１５０１から理解され得る。
【０２１１】
その結果、以下のステップがＡＰ装置に対し追加されてもよく、ＡＰ装置は、Ａｗａｋｅ状態に切り替えられたＳＴＡ装置がＮａｖを設定することを可能にするために、ＴＸＯＰの終了の後にフレームを送信し、具体的な方法は以下の通りである。
【０２１２】
ステップ１６０１：このＴＸＯＰが終了し、Ｔ１６時間間隔が経過した後、ＡＰ装置は、フレームを各ＳＴＡ装置に送信し、フレームがＮＡＶを搬送する。Ｔ１６時間間隔は、複数の可能な実施方式があり、例えば、ＳＩＦＳ又はＰＩＦＳでもよく、このフレームにより搬送されるＮＡＶの値は、複数の可能な実施方式があり、例えば、ゼロ値でもよく、又は、フレームが終了する時点まで保護を実行するだけでもよく、フレームは、複数の可能な実施方式があり、例えば、従来技術におけるＣＦ＿Ｅｎｄフレームでもよく、ＣＦ＿Ｅｎｄにより搬送されるＮＡＶの値はゼロ値であり、このＴＸＯＰが終了して、Ｔ１６時間間隔が経過した後に現れる瞬間は、このＴＸＯＰが終了した時点より後の瞬間であり、この瞬間とこのＴＸＯＰが終了する時点との間の時間間隔がＴ１６である。
【０２１３】
ステップ１６０２：Ｄｏｚｅ状態を終了して、Ａｗａｋｅ状態に切り替えられた後、このＴＸＯＰが終了するまでＤｏｚｅ状態を維持する各ＳＴＡ装置は、このＴＸＯＰが終了して、Ｔ１６時間間隔が経過した後に、ＡＰ装置により送信されるフレームを受信し、該フレームはこのフレーム自体のＮＡＶを設定し、それによって、ステップ１５０１における条件１に適合し、対応して、フレームが終了した後、伝送媒体が使用されてもよい。詳しくは、ステップ１６０１でＡＰ装置により送信されたフレームがＣＦ＿Ｅｎｄフレームであるとき、各ＳＴＡ装置は、ＣＦ＿Ｅｎｄが受信されていることをＮａｖがリセットされているものとして理解し、即ち、前述のＣＦ＿Ｅｎｄフレームが終了した時点で、各ＳＴＡ装置は、このＳＴＡ装置自体のＮＡＶタイマーをゼロにリセットする。
【０２１４】
前述のステップ１６０１及び１６０２において、ＣＦ＿Ｅｎｄフレームは、実施のためだけに採用されてもよく、ＳＩＦＳはＴ１６時間間隔のために使用されるように指定されてもよく、対応するステップは以下の通りである。
【０２１５】
ステップ１７０１：このＴＸＯＰが終了して、ＳＩＦＳ時間間隔が経過した後、ＡＰ装置は、ＣＦ＿Ｅｎｄフレームを各ＳＴＡ装置に送信し、ＣＦ＿Ｅｎｄフレームで搬送されるＮＡＶの値はゼロ値である。
【０２１６】
ステップ１７０２：Ｄｏｚｅ状態を終了して、Ａｗａｋｅ状態に切り替えられた後、このＴＸＯＰが終了するまでＤｏｚｅ状態を維持する各ＳＴＡ装置は、このＴＸＯＰが終了して、ＳＩＦＳ時間間隔が経過した後にＡＰ装置により送信されたＣＦ＿Ｅｎｄフレームを受信し、受信されるＣＦ＿Ｅｎｄフレームは、ＮＡＶがリセットされているものとして理解され、即ち、前述のＣＦ＿Ｅｎｄフレームが終了する時点で、各ＳＴＡ装置は、このＳＴＡ装置自体のＮＡＶタイマーをゼロにリセットし、対応して、伝送媒体が使用されてもよい。
【０２１７】
前述の実施形態では、Ｄｏｚｅ状態に入った後、ＳＴＡ装置は、このＴＸＯＰが終了するまでＤｏｚｅ状態を維持する。しかし、本発明の実施形態は、前述の実施方式に限定されることはなく、例えば、ＳＴＡ装置がこのＳＴＡ装置自体はドーズ条件に従ってＤｏｚｅ状態に入り得ると判断する場合、このＳＴＡ装置は、このＴＸＯＰが終了するまでＤｏｚｅ状態を維持し、その一方で、ＳＴＡ装置がＤｏｚｅ状態を維持する持続時間中に、前もって指定された数回の瞬間に、ＳＴＡ装置がウェイクアップし、ある期間にＡｗａｋｅ状態を維持し、そして、再びＤｏｚｅ状態に入り、又は、ＳＴＡ装置がこのＳＴＡ装置自体はドーズ条件に従ってＤｏｚｅ状態に入り得ると判断する場合、ＳＴＡ装置は、このＴＸＯＰの終了前の瞬間までＤｏｚｅ状態を維持する。
【０２１８】
実施形態が以下の通り更に提供され、実施形態１８として記録される。
【０２１９】
ステップ１８０１：現在ＴＸＯＰで、各ＳＴＡ装置は、このＳＴＡ装置自体がＤｏｚｅ状態に入り得るか否かを判断する。ＳＴＡ装置が、このＳＴＡ装置自体はＤｏｚｅ状態に入り得ると判断する場合、このＳＴＡ装置は、このＴＸＯＰが終了する時点より前の瞬間までＤｏｚｅ状態を維持し、この瞬間にＡｗａｋｅ状態に切り替えられる。ＳＴＡ装置がＤｏｚｅ状態を終了し、Ａｗａｋｅ状態に切り替えられる時点とこのＴＸＯＰが終了する時点との間の時間間隔は、通信に参加する当事者により前もって規定された値に等しいか、又は、通信に参加する当事者によって前もって規定された範囲に含まれる。Ａｗａｋｅ状態に切り替えられた後、ＳＴＡ装置はＡＰにより送信されたフレームを受信し、そして、ＡＰにより送信されたフレームによって搬送されたＮＡＶに従ってこのＳＴＡ装置自体のＮＡＶ設定を更新するか、又は、ＡＰにより送信されたフレームのＬ−ＳＩＧフィールドに従ってＳＴＡ装置自体のＮＡＶ設定を更新し、又は、ＡＰにより送信されたフレームによって搬送された少なくとも１ビットに従ってこのＴＸＯＰが終了する時点がＴＸＯＰの開始にＡＰにより設定されたこのＴＸＯＰの終了時点と同じであるか否かを決定する。
【０２２０】
ＳＴＡがステップ１８０１でＤｏｚｅ状態を終了して、Ａｗａｋｅ状態に切り替えられる時点とこのＴＸＯＰの終了時点との間の時間範囲、又は、ＳＴＡがステップ１８０１でＤｏｚｅ状態を終了してＡｗａｋｅ状態に切り替えられる時点とＴ１８時間間隔との後の時間範囲、又は、このＴＸＯＰが終了する時点より前の時間範囲に、ＡＰ装置は、少なくとも１つのフレームを数台のＳＴＡ装置に送信し、フレームはＴＸＯＰが終了する時点を指示するためにＮＡＶを搬送し、又は、フレームのＬ−ＳＩＧフィールドはＳＴＡ装置自体のＮＡＶ設定を更新するためにこのＳＴＡ装置に設けられた時間指示を搬送し、又は、フレームはこのＴＸＯＰが終了する時点がＴＸＯＰの開始にＡＰにより設定されたこのＴＸＯＰの終了時点と同じであるか否かを指示するために使用される少なくとも１ビットを搬送する。このステップのＴ１８時間間隔は、複数の可能な実施方式があり、例えば、ＳＩＦＳ又はＰＩＦＳでもよい。
【０２２１】
前述の実施形態１８では、更に、時間範囲内にＡＰ装置により数台のＳＴＡ装置に送信された少なくとも１つのフレームは、以下の４つの特徴：時間範囲内にＡＰ装置により数台のＳＴＡ装置に送信される少なくとも１つのフレームがビームフォーミング（ｂｅａｍｆｏｒｍｉｎｇ）方式で送信されないことと、時間範囲内にＡＰ装置により数台のＳＴＡ装置に送信される少なくとも１つのフレームで搬送されるＮＡＶがビームフォーミング方式で送信されないことと、時間範囲内にＡＰ装置により数台のＳＴＡ装置に送信される少なくとも１つのフレームで、このフレームのＬ−ＳＩＧフィールドがビームフォーミング方式で送信されないことと、時間範囲内にＡＰ装置により数台のＳＴＡ装置に送信される少なくとも１つのフレームで、このＴＸＯＰが終了する時点がＴＸＯＰの開始にＡＰにより設定されるこのＴＸＯＰの終了時点と同じであるか否かを指示するために使用されるフレームにより搬送される少なくとも１ビットがビームフォーミング方式で送信されないことと、のうちの少なくとも１つを満たしてもよい。
【図１】
0005938791.tif 000002
【図２】
0005938791.tif 000003
【図３】
0005938791.tif 000004
【図４】
0005938791.tif 000005
【図５】
0005938791.tif 000006
【図６】
0005938791.tif 000007
【図７】
0005938791.tif 000008
【図８】
0005938791.tif 000009
【図９】
0005938791.tif 000010
【図１０】
0005938791.tif 000011
【図１１】
0005938791.tif 000012